(57)【要約】【課題】複数のＰＯＰラベルの在庫を適切に管理し、ＰＯＰラベルの欠品を防止可能なＰＯＰラベル発注支援システムを提供する。【解決手段】ＰＯＰラベル発注支援システムは、格納棚と、記憶部２４と、更新部２５ｂと、決定部２５ｃと、を備える。格納棚は、複数のＰＯＰラベルをそれぞれの格納場所において格納する。記憶部は、商品を特定する商品情報と、その商品に関するＰＯＰラベルの格納場所における残数に関する情報と、を関連付けて、商品別ＰＯＰラベル数情報として記憶する。更新部は、商品別ＰＯＰラベル数情報を更新する。決定部は、商品別ＰＯＰラベル数情報に基づいて、ＰＯＰラベルの発注に関する決定を行う。【選択図】図１０
2018147349.tif 000002
【特許請求の範囲】
【請求項１】
複数のＰＯＰラベルをそれぞれの格納場所において格納する格納部と、
商品を特定する商品情報と、その商品に関する前記ＰＯＰラベルの前記格納場所における残数に関する情報と、を関連付けて、商品別ＰＯＰラベル数情報として記憶する記憶部と、
前記商品別ＰＯＰラベル数情報を更新する更新部と、
前記商品別ＰＯＰラベル数情報に基づいて、前記ＰＯＰラベルの発注に関する決定を行う決定部と、
を備えるＰＯＰラベル発注支援システム。
【請求項２】
前記ＰＯＰラベルの前記格納場所における残数に関する情報には、前記格納場所における前記ＰＯＰラベルの残数、前記格納場所の前記ＰＯＰラベルの使用数、及び、前記格納場所への前記ＰＯＰラベルの入庫数の少なくとも１つを含む、
請求項１に記載のＰＯＰラベル発注支援システム。
【請求項３】
前記格納場所における前記ＰＯＰラベルの残数、前記格納場所の前記ＰＯＰラベルの使用数、及び、前記格納場所への前記ＰＯＰラベルの入庫数の少なくとも１つをカウントするカウンターを更に備え、
前記更新部は、前記カウンターのカウント結果に基づいて前記商品別ＰＯＰラベル数情報を更新する、
請求項１又は２に記載のＰＯＰラベル発注支援システム。
【請求項４】
前記商品に対し所定の処理を行う商品処理装置から送信される、前記商品に対し前記所定の処理が行われたことを通知する商品別の処理通知情報を受信する受信部を更に備え、
前記カウンターは、前記受信部が受信した前記処理通知情報に基づいて、前記残数及び前記使用数の少なくとも一方をカウントする、
請求項３に記載のＰＯＰラベル発注支援システム。
【請求項５】
前記入庫数を受け付ける受付部を更に備え、
前記カウンターは、前記受付部が受け付けた前記入庫数に基づいて前記入庫数をカウントする、
請求項３又は４に記載のＰＯＰラベル発注支援システム。
【請求項６】
前記決定部の決定に基づき、前記ＰＯＰラベルを発注するＰＯＰラベル発注情報を送信する送信部、を更に備える、
請求項１から５のいずれか１項に記載のＰＯＰラベル発注支援システム。
【請求項７】
前記決定部の決定に基づき、前記ＰＯＰラベルの発注を促す情報を報知する報知部、を更に備える、
請求項１から５のいずれか１項に記載のＰＯＰラベル発注支援システム。
【発明の詳細な説明】
【技術分野】
【０００１】
本発明は、ＰＯＰラベルの発注を支援する、ＰＯＰラベル発注支援システムに関する。
【背景技術】
【０００２】
スーパーマーケット等の店舗等において、販売される商品（例えば食品等が収容されている容器）に商品名等が印字されたラベルが付される場合がある。例えば、特許文献１（特開２００２−１７２８２０号公報）には、このようなラベルを生産する装置として、スーパーマーケット等に設置され、商品に付されるラベルを印字・発行するラベル印字装置が開示されている。
【０００３】
さて、商品には、商品名のような購買者に最低限伝えるべき情報が印字された上記のようなラベル以外に、ＰＯＰラベルが付される場合がある。ここで、ＰＯＰラベルとは、購買者の購買意欲を促進するために、商品に関する情報（例えば、商品の品質、産地、割引等に関する情報）を購買者に提供するラベルを意味する。
【０００４】
ＰＯＰラベルは、複数の同一商品に印字・印刷内容が同一のＰＯＰラベル（同一ラベル）が付される場合や、複数種類の商品に同一ラベルが付される場合や、複数の同一商品に、印字・印刷内容が異なる複数のＰＯＰラベルが付される場合も多い。そのため、作業効率等の観点から、ＰＯＰラベルを商品に付す際にＰＯＰラベルを印字・発行するよりも、印字済みのＰＯＰラベルを予め準備・保管しておくことが好ましい。
【発明の概要】
【発明が解決しようとする課題】
【０００５】
しかし、一般に、店舗で取り扱われる商品は多様であり、商品によって異なるＰＯＰラベルが付される場合も多く、店舗等では多種類のＰＯＰラベルを準備する必要がある。そのため、ＰＯＰラベルの在庫管理は煩雑になりやすく、作業者による在庫管理には不備が発生しやすい。在庫管理に不備があるとＰＯＰラベルの欠品が発生する可能性があるが、印字済みのＰＯＰラベルを予め準備・保管しておく場合、ＰＯＰラベルの欠品に気付いても直ちにＰＯＰラベルを準備することは困難なことが多い。
【０００６】
本発明の課題は、複数のＰＯＰラベルの在庫を適切に管理し、ＰＯＰラベルの欠品を防止可能なＰＯＰラベル発注支援システムを提供することにある。
【課題を解決するための手段】
【０００７】
本発明の第１観点に係るＰＯＰラベル発注支援システムは、格納部と、記憶部と、更新部と、決定部と、を備える。格納部は、複数のＰＯＰラベルをそれぞれの格納場所において格納する。記憶部は、商品を特定する商品情報と、その商品に関するＰＯＰラベルの格納場所における残数に関する情報と、を関連付けて、商品別ＰＯＰラベル数情報として記憶する。更新部は、商品別ＰＯＰラベル数情報を更新する。決定部は、商品別ＰＯＰラベル数情報に基づいて、ＰＯＰラベルの発注に関する決定を行う。
【０００８】
このＰＯＰラベル発注支援システムでは、商品とその商品に付されるＰＯＰラベルの残数に関する情報とを関連付けた情報（商品別ＰＯＰラベル数情報）が更新して記憶され、商品別ＰＯＰラベル数情報に基づきＰＯＰラベルの発注に関する決定が行われる。そのため、商品に対する各種処理と結びつけてＰＯＰラベルの在庫を適切に管理し、ＰＯＰラベルの欠品を防止することができる。その結果、ＰＯＰラベルが欠品していて商品に付されるべきＰＯＰラベルを付すことができない、あるいは、ＰＯＰラベルが欠品しているためそのＰＯＰラベルを付すべき商品を顧客等に提供できない等の事態の発生を防止することができる。
【０００９】
本発明の第２観点に係るＰＯＰラベル発注支援システムは、第１観点に係るＰＯＰラベル発注支援システムであって、ＰＯＰラベルの格納場所における残数に関する情報には、格納場所におけるＰＯＰラベルの残数、格納場所のＰＯＰラベルの使用数、及び、格納場所へのＰＯＰラベルの入庫数の少なくとも１つを含む。
【００１０】
このＰＯＰラベル発注支援システムでは、ＰＯＰラベルの在庫を管理し、ＰＯＰラベルの欠品を防止することが容易である。
【００１１】
本発明の第３観点に係るＰＯＰラベル発注支援システムは、第１観点又は第２観点に係るＰＯＰラベル発注支援システムであって、カウンターを更に備える。カウンターは、格納場所におけるＰＯＰラベルの残数、格納場所のＰＯＰラベルの使用数、及び、格納場所へのＰＯＰラベルの入庫数の少なくとも１つをカウントする。更新部は、カウンターのカウント結果に基づいて商品別ＰＯＰラベル数情報を更新する。
【００１２】
このＰＯＰラベル発注支援システムでは、ＰＯＰラベルの残数、使用数、及び入庫数の少なくとも１つのカウント結果に応じて商品別ＰＯＰラベル数情報が更新される。そのため、正確な商品別ＰＯＰラベル数情報に基づいてＰＯＰラベルの在庫を管理し、ＰＯＰラベルの欠品を防止することができる。
【００１３】
本発明の第４観点に係るＰＯＰラベル発注支援システムは、第３観点に係るＰＯＰラベル発注支援システムであって、受信部を更に備える。受信部は、商品に対し所定の処理を行う商品処理装置から送信される、商品に対し所定の処理が行われたことを通知する商品別の処理通知情報を受信する。カウンターは、受信部が受信した処理通知情報に基づいて、残数及び使用数の少なくとも一方をカウントする。
【００１４】
なお、限定するものではないが、商品処理装置には、例えば、商品名等が印字されたラベルを発行するラベル発行装置や、商品の重量を計測し計測重量や価格が印字されたラベルを発行する計量ラベル発行装置や、容器に入った物品を包装して商品を生産する包装装置や、商品に対し各種検査を行う検査装置（例えば、重量検査装置やＸ線検査装置）等を含む。
【００１５】
また、限定するものではないが、処理通知情報は、例えば、商品処理装置が、商品に対しラベルを発行する処理を実行した時や、商品を生産するための包装処理を実行した時や、検査の結果に基づき商品を合格品と判定する処理を実行した時等に発信される。
【００１６】
このＰＯＰラベル発注支援システムでは、商品処理装置が商品に対し処理を行ったことを通知する商品別の処理通知情報に基づいてＰＯＰラベルの残数や使用数がカウントされ、これに基づいて商品別ＰＯＰラベル数情報が更新される。そのため、正確な商品別ＰＯＰラベル数情報に基づいて、ＰＯＰラベルの在庫を適切に管理し、ＰＯＰラベルの欠品を防止することができる。
【００１７】
本発明の第５観点に係るＰＯＰラベル発注支援システムは、第３観点又は第４観点に係るＰＯＰラベル発注支援システムであって、入庫数を受け付ける受付部を更に備える。カウンターは、受付部が受け付けた入庫数に基づいて入庫数をカウントする。
【００１８】
なお、受付部は、作業者の入力を受け付けるキーボード等の入力部であってもよいし、システムの外部から送信されてくる入庫数の情報を受信する通信部であってもよい。
【００１９】
このＰＯＰラベル発注支援システムでは、受け付けた入庫数に基づいて入庫数がカウントされ、これに基づいて商品別ＰＯＰラベル数情報が更新されるので、正確な商品別ＰＯＰラベル数情報に基づき、ＰＯＰラベルの在庫を適切に管理し、ＰＯＰラベルの欠品を防止することができる。
【００２０】
本発明の第６観点に係るＰＯＰラベル発注支援システムは、第１観点から第５観点のいずれかに係るＰＯＰラベル発注支援システムであって、送信部を更に備える。送信部は、決定部の決定に基づき、ＰＯＰラベルを発注するＰＯＰラベル発注情報を送信する。
【００２１】
このＰＯＰラベル発注支援システムでは、決定部の決定に基づいて自動でＰＯＰラベルが発注されるので、ＰＯＰラベルの欠品が防止されやすい。
【００２２】
本発明の第７観点に係るＰＯＰラベル発注支援システムは、第１観点から第５観点のいずれかに係るＰＯＰラベル発注支援システムであって、報知部を更に備える。報知部は、決定部の決定に基づき、ＰＯＰラベルの発注を促す情報を報知する。
【００２３】
このＰＯＰラベル発注支援システムでは、決定部の決定に基づいてＰＯＰラベルの発注が促されるため、ＰＯＰラベルの欠品が防止されやすい。
【発明の効果】
【００２４】
本発明に係るＰＯＰラベル発注支援システムでは、商品とその商品に付されるＰＯＰラベルの残数に関する情報とを関連付けた情報（商品別ＰＯＰラベル数情報）が更新して記憶され、商品別ＰＯＰラベル数情報に基づきＰＯＰラベルの発注に関する決定が行われる。そのため、商品に対する各種処理と結びつけてＰＯＰラベルの在庫を適切に管理し、ＰＯＰラベルの欠品を防止することができる。その結果、ＰＯＰラベルが欠品していて商品に付されるべきＰＯＰラベルを付すことができない、あるいは、ＰＯＰラベルが欠品しているためそのＰＯＰラベルを付すべき商品を顧客等に提供できない等の事態の発生を防止することができる。
【図面の簡単な説明】
【００２５】
【図１】本発明の第１実施形態に係るＰＯＰラベル発注支援システムを含む、ラベル提供システムのブロック図である。
【図２】図１のラベル提供システムが使用される作業場の概略平面図である。
【図３】図１のラベル提供システムが使用される作業場の概略側面図である。
【図４】図１のＰＯＰラベル発注支援システムの格納棚に格納されるＰＯＰラベルの例である。
【図５】図１のラベル提供システムの計量ラベル発行装置の概略斜視図である。
【図６】図５の計量ラベル発行装置の発行する主ラベルの例である。
【図７】図１のラベル提供システムの格納棚を模式的に描画した図である。
【図８】図１のＰＯＰラベル発注支援システムの情報表示器のブロック図である。
【図９】図８の情報表示器に表示される表示の例である。
【図１０】図１のＰＯＰラベル発注支援システムのコンピュータのブロック図である。
【図１１】図１０のコンピュータに記憶されるＰＯＰラベル別情報の例である。
【図１２】図１０のコンピュータに記憶される商品別ＰＯＰラベル数情報の例である。
【図１３】変形例１Ｅに係るＰＯＰラベル発注支援システムのコンピュータのブロック図である。
【図１４】変形例１Ｅに係るＰＯＰラベル発注支援システムの情報表示器に表示される表示の例である。
【図１５】本発明の第２実施形態に係るＰＯＰラベル発注支援システムのコンピュータのブロック図である。
【図１６】図１５のコンピュータに記憶されるＰＯＰラベル別情報の例である。
【図１７】図１５のコンピュータに記憶される商品別ＰＯＰラベル数情報の例である。
【図１８】本発明の第３実施形態に係るＰＯＰラベル発注支援システムのコンピュータのブロック図である。
【図１９】図１８のコンピュータに記憶されるＰＯＰラベル別情報の例である。
【図２０】図１８のコンピュータに記憶される商品別ＰＯＰラベル数情報の例である。
【発明を実施するための形態】
【００２６】
本発明のＰＯＰラベル発注支援システムの実施形態について図面を参照しながら説明する。なお、以下の実施形態は、本発明の具体例であって本発明の技術的範囲を限定するものではなく、本発明の趣旨を逸脱しない範囲で適宜変更可能である。
【００２７】
＜第１実施形態＞
本発明の一実施形態に係るＰＯＰラベル発注支援システム１００、及び、ＰＯＰラベル発注支援システム１００を備えたラベル提供システム１０００について説明する。
【００２８】
（１）全体構成
図１は、ＰＯＰラベル発注支援システム１００を備えたラベル提供システム１０００のブロック図である。図２は、ラベル提供システム１０００が使用される作業場の概略平面図である。図３は、ラベル提供システム１０００が使用される作業場の概略側面図である。図２及び図３は、ラベル提供システム１０００が使用される作業場における、格納棚１０、表示装置４０、計量ラベル発行装置２００、及び作業台８０の配置の一例を描画している。
【００２９】
ラベル提供システム１０００は、商品にラベルを付す作業が行われる作業場において、商品に貼付するラベルを提供するシステムである。作業場は、例えば、各種商品（例えば、生鮮食品等）の販売されるスーパーマーケット等の店舗や、店舗で販売される商品の加工拠点等である。
【００３０】
ラベル提供システム１０００は、例えば、商品名、商品の重量、商品価格、及び商品ＩＤ（バーコード）を印字内容に含む主ラベル（図６参照）を印字し、発行する。商品にラベルを貼付する作業員は、ラベル提供システム１０００が印字・発行する主ラベルを作業台８０（図２参照）上で商品に付す。
【００３１】
また、ラベル提供システム１０００は、商品に付される複数種類のＰＯＰラベルを格納する。ラベル提供システム１０００は、種類別に、それぞれのＰＯＰラベルの格納場所に格納する。商品にラベルを貼付する作業員は、ラベル提供システム１０００に格納されたＰＯＰラベルを取り出し、作業台８０上でＰＯＰラベルを商品に付す。
【００３２】
なお、商品の中には、主ラベルは付されずＰＯＰラベルだけが付されるもの、ＰＯＰラベルは付されず主ラベルだけが付されるものも考えられる。しかし、ここでは、商品には、主ラベルと、少なくとも１枚のＰＯＰラベルが貼付されるものとする。
【００３３】
ラベル提供システム１０００は、主に、ＰＯＰラベル発注支援システム１００と、計量ラベル発行装置２００と、を備える（図１参照）。
【００３４】
ＰＯＰラベル発注支援システム１００は、格納棚１０と、各格納棚１０に対して複数設けられる情報表示器３０と、表示装置４０と、コンピュータ２０とを含む（図１参照）。なお、ＰＯＰラベル発注支援システム１００が有する格納棚１０、情報表示器３０、及び表示装置４０のそれぞれの数、及び、計量ラベル発行装置２００の数は、図１に描画した台数に限定されるものではなく、適宜決定されればよい。また、コンピュータ２０は、後述する機能を１台のコンピュータで実現するものでもよく、複数のコンピュータで実現するものであってもよい。
【００３５】
格納棚１０は、ＰＯＰラベルを格納する格納場所Ｐを複数有する（図１参照）。各格納場所Ｐには、それぞれ異なる種類の、所定のＰＯＰラベルが格納されている。ＰＯＰラベルには、例えば、図４に示すようなＰＯＰラベルＲ１〜Ｒ３を含む。
【００３６】
ここで、ＰＯＰラベルとは、購買者の商品に対する購買意欲を惹起する情報を提供するラベルを意味する。購買者の商品に対する購買意欲を惹起する情報には、例えば、商品の品質に関する情報、商品の産地に関する情報、商品の割引に関する情報の他、販売促進・広告のための各種情報を含む。例えばＰＯＰラベルＲ１（図４（ａ）参照）は、商品が新鮮であるという商品の品質に関する情報を購買者に対して提供するＰＯＰラベルの一例である。ＰＯＰラベルＲ２（図４（ｂ）参照）は、商品の産地に関する情報を購買者に対して提供するＰＯＰラベルの一例である。ＰＯＰラベルＲ３（図４（ｃ）参照）は、商品が特別価格で提供されているという商品の割引に関する情報を購買者に対して提供するＰＯＰラベルの一例である。
【００３７】
なお、ＰＯＰラベルの印字内容は、ＰＯＰラベルＲ１〜Ｒ３に示した印字内容に限定されるものではなく、購買者の商品に対する購買意欲を惹起する様々な情報を含むことができる。また、ＰＯＰラベルの印字内容は、文字情報に限定されるものではなく、販売を促進するような画像情報（例えばイメージ写真等）であってもよい。また、ＰＯＰラベルには様々なデザイン（フォントやラベルの形状等）を採用可能である。
【００３８】
情報表示器３０は、格納棚１０の格納場所Ｐのそれぞれに対応付けて配置され、各種情報を表示部３１に表示する装置である（図９参照）。
【００３９】
表示装置４０は、各種情報を表示部４１（図１参照）に表示する装置である。
【００４０】
コンピュータ２０は、商品を特定する商品情報と、その商品に関する（その商品に付される）ＰＯＰラベルを特定する情報と、を関連付けて記憶する。また、コンピュータ２０は、ＰＯＰラベルの格納棚１０の格納場所Ｐにおける残数に関する情報（以後、単にＰＯＰラベルの残数に関する情報と呼ぶ場合がある）を記憶する。コンピュータ２０は、商品を特定する商品情報と、その商品に関するＰＯＰラベルの格納棚１０の格納場所Ｐにおける残数に関する情報とを関連付けて、商品別ＰＯＰラベル数情報として記憶する。また、コンピュータ２０は、ＰＯＰラベルの格納場所Ｐにおける残数に関する情報を含む商品別ＰＯＰラベル数情報を適宜更新すると共に、商品別ＰＯＰラベル数情報に基づいてＰＯＰラベルの発注に関する決定を行う。また、コンピュータ２０は、ＰＯＰラベルの発注に関する決定に基づいて、ＰＯＰラベルを発注するＰＯＰラベル発注情報をサーバ３００に対して送信する。ＰＯＰラベル発注情報は、ＰＯＰラベルを発注するために用いられる、発注するＰＯＰラベルの種類や発注数を含む情報である。サーバ３００は、ＰＯＰラベルの発注を受注する受注者（例えば、ＰＯＰラベルの納品業者や、ＰＯＰラベルを保管・発送しているＰＯＰラベルの管理センター等）のサーバである。サーバ３００は、ＰＯＰラベル発注情報を受信すると、例えば、ＰＯＰラベル発注情報を受信した旨を通知する信号と、受注したＰＯＰラベルの入庫予定日と、をコンピュータ２０に対して送信する。また、ＰＯＰラベルを納品する納品者は、サーバ３００がＰＯＰラベル発注情報を受信すると、ＰＯＰラベル発注情報の送信元のラベル提供システム１０００を利用している作業場（格納棚１０の置かれる作業場）に、発注を受けたＰＯＰラベルを受注数だけ納品する。
【００４１】
計量ラベル発行装置２００は、商品の重量を計量し、重量に応じた商品価格を算出し、商品名、商品の重量、商品価格、及び商品ＩＤ（バーコード）を印字内容に含む主ラベル（図６参照）を印字し、発行する装置である。
【００４２】
コンピュータ２０と情報表示器３０とは、ネットワーク９１を介して接続されている。コンピュータ２０と表示装置４０とは、ネットワーク９２を介して接続されている。ネットワーク９１は、コンピュータ２０と情報表示器３０との間で送受信される信号の伝送路として機能する。ネットワーク９２は、コンピュータ２０と表示装置４０との間で送受信される信号の伝送路として機能する。ネットワーク９１，９２は、アクセスポイント（図示省略）を用いて構成されるいわゆる無線ＬＡＮである。なお、コンピュータ２０と情報表示器３０、あるいは、コンピュータ２０と表示装置４０は、無線ＬＡＮにより通信を行うものに限定されるものではなく、赤外線通信や、他の無線技術により無線通信可能に構成されていてもよい。また、コンピュータ２０と情報表示器３０、あるいは、コンピュータ２０と表示装置４０は、通信ケーブルで接続され、互いの間で有線通信を行うものであってもよい。さらに、ネットワーク９１，９２は、同一の方式でなくてもよく、例えば、ネットワーク９１が無線ＬＡＮで、ネットワーク９２が有線ＬＡＮであってもよい。
【００４３】
コンピュータ２０と計量ラベル発行装置２００とは、ネットワーク９３を介して接続されている。ネットワーク９３は、コンピュータ２０と計量ラベル発行装置２００との間で送受信される信号の伝送路として機能する。ネットワーク９３は、通信ケーブル等を用いて構成されるいわゆる有線ＬＡＮである。なお、コンピュータ２０と計量ラベル発行装置２００とは、無線で接続されてもよい。
【００４４】
コンピュータ２０とサーバ３００とは、ネットワーク９４を介して接続されている。ネットワーク９４は、コンピュータ２０とサーバ３００との間で送受信される信号の伝送路として機能する。ネットワーク９４は、いわゆるＷＡＮである。ネットワーク９４は、例えば公衆回線を用いて構築されるインターネットである。
【００４５】
（２）詳細構成
計量ラベル発行装置２００と、ＰＯＰラベル発注支援システム１００と、について詳細を説明する。
【００４６】
（２−１）計量ラベル発行装置
計量ラベル発行装置２００は、商品に対し所定の処理を行う商品処理装置の一例である。計量ラベル発行装置２００は、商品に貼付される主ラベルを印字し、発行する。主ラベルの印字内容には、少なくとも商品名を含む。計量ラベル発行装置２００は、具体的には、商品の重量を計量し、その商品の名称及び商品ＩＤ（バーコード）、計量された商品の重量、重量から算出される商品の価格を印字内容に含む主ラベル（図６参照）を印字し、発行する。
【００４７】
計量ラベル発行装置２００は、モニタ２１０、操作パネル２２０、計量部２３０、制御ユニット２４０、及びラベル発行部２５０、を有する（図１及び図５参照）。
【００４８】
モニタ２１０は、タッチパネル式の液晶モニタである。モニタ２１０には、計量ラベル発行装置２００の使用者に対する各種情報が表示される。またモニタ２１０は、使用者による各種操作を入力として受け付ける。
【００４９】
操作パネル２２０は、計量ラベル発行装置２００の使用者による各種操作を入力として受け付けるキーである。計量ラベル発行装置２００の使用者は、計量ラベル発行装置２００に、ある種類の商品について、商品を計量させ、その商品に対して主ラベルを印字、発行させる処理を実行させる際に、操作パネル２２０から処理対象の商品を選択する。使用者は、主ラベルの印字対象の商品の種類を変更する場合に、再度、操作パネル２２０から対象商品を選択する。操作パネル２２０から商品が（商品の種類が）選択されると、制御ユニット２４０は、図示しない通信インターフェースを制御して、選択された商品を通知する信号を、ネットワーク９３を介してコンピュータ２０へと送信する。
【００５０】
計量部２３０は、商品の重量を測定する電子はかりである。計量部２３０は、計量皿２３０ａ（図５参照）に置かれた商品の重量を計量し、計量値を制御ユニット２４０に送信する。
【００５１】
制御ユニット２４０は、ＣＰＵや、ＲＯＭ、ＲＡＭ等の記憶部を備えたコンピュータである。制御ユニット２４０は、モニタ２１０、操作パネル２２０、計量部２３０、及びラベル発行部２５０と電気的に接続されている。制御ユニット２４０は、ＣＰＵが記憶部に記憶されたプログラムを実行することで、計量ラベル発行装置２００の動作を制御する。
【００５２】
例えば、制御ユニット２４０は、操作パネル２２０から商品が選択されると、選択された商品を通知する信号と共に、その商品に関する各種データ（例えば、商品の重量あたりの単価等）の送信を要求する信号を、ネットワーク９４を介してコンピュータ２０に送信する。コンピュータ２０は、データの送信要求に応じて、計量ラベル発行装置２００に要求された情報を送信する。なお、制御ユニット２４０は、予めコンピュータ２０から提供され記憶部に保存された各種データを、記憶部から読み出してもよい。また、制御ユニット２４０は、商品が計量皿２３０ａに置かれ、商品の重量が計量部２３０により計量されると、コンピュータ２０から送信されてきた商品の重量あたりの単価と、計量部２３０から送信されてくる計量値とに基づいて商品の価格を算出する。そして、制御ユニット２４０は、商品の名称、商品ＩＤ（バーコード）、計量された商品の重量、商品の価格を印字内容に含む印字画像を生成し、この印字画像を印字・発行するよう、ラベル発行部２５０を制御する。
【００５３】
また、制御ユニット２４０は、ラベル発行部２５０が主ラベルを印字する際、主ラベルの発行対象の商品を特定する情報と、その商品に対し所定の処理（主ラベルの印字・発行処置）が行われたことを通知する処理通知情報と、を含む信号を、図示しない通信インターフェースを制御して、ネットワーク９３を介してコンピュータ２０へと送信する。
【００５４】
なお、制御ユニット２４０は、ラベル発行部２５０が主ラベルを印字する際に、主ラベルの発行対象の商品を特定する情報を送信する信号に含めなくてもよい。例えば、コンピュータ２０は、主ラベルの発行対象の商品を特定する情報を一旦受信すると、次に主ラベルの発行対象の商品を特定する情報を受信するまで、主ラベルの発行対象の商品を同一と認識するように構成されていてもよい。この場合、制御ユニット２４０は、主ラベルの発行対象の商品が変更となった際、処理通知情報の送信前に、主ラベルの発行対象の商品を特定する情報を一回だけ送信してもよい。そして、ラベル発行部２５０が主ラベルを印字する際には、制御ユニット２４０は処理通知情報だけを送信してもよい。
【００５５】
ラベル発行部２５０は、制御ユニット２４０によって制御され、未印字のラベルに、制御ユニット２４０が決定した印字画像を印字し、印字済みのラベル（主ラベル）を発行するプリンタである。
【００５６】
（２−２）ＰＯＰラベル発注支援システム
ＰＯＰラベル発注支援システム１００の、格納棚１０と、情報表示器３０と、表示装置４０と、コンピュータ２０とについて説明する。
【００５７】
（２−２−１）格納棚
格納棚１０は、格納部の一例である。格納棚１０は、複数種類のＰＯＰラベルを、それぞれの格納場所Ｐにおいて格納する棚である。なお、格納部は、棚である必要はなく、ＰＯＰラベルの収容空間を有する設備や装置であればよい。
【００５８】
格納棚１０は、ＰＯＰラベルを格納する格納場所Ｐを複数有する。各格納場所Ｐに格納されるＰＯＰラベルの種類は格納棚１０を管理する管理者等により決定されている。各格納場所Ｐには、例えば図７のように、格納場所Ｐの位置を特定する識別符号（Ｐ１１〜Ｐ１４，Ｐ２１〜Ｐ２４，Ｐ３１〜Ｐ３４）が付与されている。なお、図７中の格納場所Ｐの数は、例示に過ぎず、格納場所Ｐの数は図７に描画されたものに限定されない。
【００５９】
後述するコンピュータ２０は、各格納場所Ｐ（各識別符号が付された格納場所Ｐ）に格納されるＰＯＰラベルの種類を記憶している。また、コンピュータ２０は、各格納場所ＰにおけるＰＯＰラベルの残数に関する情報を記憶している。
【００６０】
本実施形態では、各ＰＯＰラベルの表面には各種情報（文字や図形や画像等）が印字され、ＰＯＰラベルの背面（印字面とは反対側の面）には粘着層が設けられている。格納棚１０の各格納場所Ｐには、ＰＯＰラベルが、その背面が台紙（剥離紙）に貼り合わされた状態で格納されている。格納棚１０には、１枚のシート状の台紙に１枚のＰＯＰラベル又は複数枚の同一ＰＯＰラベルが貼り合わされたもの、ロール状の台紙に複数枚の同一ＰＯＰラベルが貼り合わされたもの等、様々な態様でＰＯＰラベルが保管される。例えば、図７中の識別符号Ｐ１１〜Ｐ１４が付与された格納場所Ｐには、ロール状の台紙に複数枚の同一ＰＯＰラベルが貼り合わされたものが格納されている。図７中の識別符号Ｐ２１〜Ｐ２４，Ｐ３１〜Ｐ３４が付与された格納場所Ｐには、シート状の台紙に１枚のＰＯＰラベル又は複数枚の同一ＰＯＰラベルが貼り合わされたものが、それぞれの格納場所Ｐに置かれた容器内に格納されている。商品にラベルを貼付する作業者は、商品にＰＯＰラベルを付す際、台紙からＰＯＰラベルを剥がし、剥がしたＰＯＰラベルを商品に貼り付ける。
【００６１】
（２−２−２）情報表示器
情報表示器３０は、格納棚１０の格納場所Ｐのそれぞれに対応付けて配置される。なお、格納場所Ｐに対応する位置とは、その格納場所Ｐに関する情報を表示するのに適した位置を意味する。例えば、具体的には、格納場所Ｐに対応する位置は、その格納場所Ｐに隣接する位置である。本実施形態では、図２のように、格納場所Ｐのそれぞれの下方に、その格納場所Ｐと対応する情報表示器３０が配置される。
【００６２】
情報表示器３０は、表示部３１に各種表示を表示可能に構成されている。
【００６３】
例えば、情報表示器３０は、表示部３１に、その情報表示器３０に対応付けられた格納場所Ｐに収容されたＰＯＰラベルの印字内容（例えばＰＯＰラベルに印字されている文字）を表示することが好ましい。また、情報表示器３０は、表示部３１に、その情報表示器３０に対応付けられた格納場所Ｐに収容されているＰＯＰラベルの残数を表示することが好ましい。表示部３１には、例えば、図９（ａ）のように、ＰＯＰラベルの印字内容及び残数の両方が表示されるが、これに限定されるものではなく、これらの情報の一方が表示されてもよい。
【００６４】
また、例えば、情報表示器３０は、表示部３１に、その情報表示器３０に対応付けられた格納場所Ｐに収容されたＰＯＰラベルの発注状況を表示することが好ましい。情報表示器３０には、例えば、コンピュータ２０がその情報表示器３０と対応付けられたＰＯＰラベルについてサーバ３００にＰＯＰラベル発注情報を送信し、これに応じたＰＯＰラベルの納品が未だ行われていない時に、ＰＯＰラベルの発注状況が表示される。ＰＯＰラベルの発注状況には、限定するものではないが、例えば、発注数、入庫予定日等の情報が含まれる（図９（ｂ）参照）。
【００６５】
なお、ここで説明した表示部３１に表示される情報は、例示に過ぎず、表示部３１にはこれら以外の情報が表示されてもよい。
【００６６】
情報表示器３０について、図８のブロック図を参照して更に詳細に説明する。情報表示器３０は、主に、表示部３１と、通信部３２と、記憶部３３と、制御部３４と、を有する。
【００６７】
表示部３１は、例えば、マイクロカプセル方式、電子粉流体方式、液晶方式、エレクトロウェッティング方式、電気泳動方式等の各種方式の電子ペーパである。ただし、表示部３１は、電子ペーパではなくてもよく、例えば液晶ディスプレイであってもよい。
【００６８】
通信部３２は、コンピュータ２０との通信機能を担う機能部である。通信部３２は、無線でコンピュータ２０との通信を行う。通信部３２は、コンピュータ２０と無線通信を行うためのアンテナ、無線通信回路、及びベースバンドＬＳＩを主に含む（図示省略）。
【００６９】
記憶部３３は、ＲＡＭ、ＲＯＭ等のメモリで構成されている。記憶部３３には、各種情報が記憶されている。例えば、記憶部３３には、制御部３４が実行するプログラム、及び、プログラムの実行に必要なデータが格納されている。また、記憶部３３には、例えば、コンピュータ２０から受信した、表示部３１が表示するための画像データが格納される。例えば、記憶部３３には、情報表示器３０に関連付けられたＰＯＰラベルの印字内容、残数、発注数、入庫予定日等を情報に含む画像データを記憶する。
【００７０】
制御部３４は、主にＣＰＵを有する。制御部３４は、記憶部３３に記憶されているプログラムを実行し、情報表示器３０の動作を制御する。例えば、制御部３４は、コンピュータ２０の送信してきた画像データを通信部３２が受信すると、受信した画像データを記憶部３３に記憶すると共に、この画像データが表示されるよう、表示部３１の表示を制御する。
【００７１】
なお、情報表示器３０は、内蔵のバッテリーを電源として動作するものであっても、外部から電気の供給を受けるものであってもよい。
【００７２】
（２−２−３）表示装置
表示装置４０は、ネットワーク９２を介してコンピュータ２０と接続され、コンピュータ２０から送信されてくる情報を表示部４１に表示する装置である。
【００７３】
例えば、表示部４１には、格納棚１０に格納されているＰＯＰラベルの、ＰＯＰラベルの種類別の残数のリストが表示される。また、例えば、表示部４１には、発注済みで未納品の（コンピュータ２０がサーバ３００に対してＰＯＰラベル発注情報を送信し、これに応じたＰＯＰラベルの納品が未だ行われていない）ＰＯＰラベルの種類や、発注数、入庫予定日等が表示されることが好ましい。
【００７４】
表示装置４０は、格納棚１０の近傍に配置されることが好ましい。例えば、表示装置４０は、格納棚１０の側方に、格納棚１０に隣接して配置される（図２参照）。
【００７５】
表示装置４０には、例えば、情報表示器３０と同構成の機器を採用することができる。表示装置４０の構成についての詳細な説明は省略する。
【００７６】
（２−２−４）コンピュータ
コンピュータ２０は、商品に関する各種情報を記憶・管理する装置である。
【００７７】
コンピュータ２０は、例えば、商品を特定する商品情報と、その商品に関する（その商品に付される）ＰＯＰラベルを特定する情報と、を関連付けて記憶する。また、コンピュータ２０は、商品に付されるＰＯＰラベルの格納棚１０の格納場所Ｐにおける残数に関する情報を記憶し、適宜更新する。コンピュータ２０は、商品を特定する商品情報と、その商品に関するＰＯＰラベルの格納棚１０の格納場所Ｐにおける残数に関する情報とを関連付けて、商品別ＰＯＰラベル数情報として記憶し、適宜更新する。
【００７８】
また、コンピュータ２０は、記憶している商品別ＰＯＰラベル数情報に基づいて、ＰＯＰラベルの発注に関する決定を行う。特に、コンピュータ２０は、商品別ＰＯＰラベル数情報に含まれる、ＰＯＰラベルの格納場所Ｐにおける残数に関する情報に基づいて、ＰＯＰラベルの発注に関する決定を行う。さらに、コンピュータ２０は、ＰＯＰラベルの発注に関する決定に基づき、ＰＯＰラベルを発注するＰＯＰラベル発注情報を、サーバ３００に対して送信する。
【００７９】
コンピュータ２０は、通信部２１と、入力部２２と、出力部２３と、記憶部２４と、制御部２５と、を主に有する（図１０参照）。
【００８０】
（２−２−４−１）通信部
通信部２１は、計量ラベル発行装置２００、情報表示器３０、表示装置４０、及びサーバ３００と通信を行うための通信回路を主に含む（図示省略）。
【００８１】
通信部２１は、計量ラベル発行装置２００が送信してくる、選択された商品（主ラベルの発行対象となった商品）を通知する信号と、その商品に関する各種データ（主ラベルの印字内容に関するデータ）の送信を要求する信号と、を受信する。
【００８２】
また、通信部２１は、計量ラベル発行装置２００が送信してくる、主ラベルの発行対象の商品を特定する情報と、商品に対し所定の処理（主ラベルの印字・発行処置）が行われたことを通知する処理通知情報と、を含む信号を受信する。言い換えれば、通信部２１は、計量ラベル発行装置２００から送信される、商品別の処理通知情報を受信する。
【００８３】
また、通信部２１は、サーバ３００が送信してくる、ＰＯＰラベル発注情報を受信した旨を通知する信号と、受注したＰＯＰラベルの入庫予定日と、を受信する。
【００８４】
（２−２−４−２）入力部
入力部２２は、コンピュータ２０に記憶されている情報を管理する情報管理者や、商品にラベルを貼付する作業者が、コンピュータ２０に対して各種情報や指示等を与える際に用いる装置である。入力部２２には、例えば、キーボード、マウス、及びハンディスキャナを含む。
【００８５】
入力部２２は、記憶部２４に記憶されている情報の更新を受け付ける。情報を管理する情報管理者等は、記憶部２４に記憶されている情報について、内容の追加や、更新や、削除を行う場合に、入力部２２の一例であるキーボードやマウス等を用いてこれらの作業を行う。
【００８６】
例えば、入力部２２は、ＰＯＰラベル別にＰＯＰラベルの入庫数を受け付ける。具体的には、入力部２２は、ＰＯＰラベルの納品時等に、納品されたＰＯＰラベルの種類及び入庫数を受け付ける。つまり、入力部２２は受付部の一例である。これらの情報の入力部２２への入力に基づいて、後述する制御部２５の更新部２５ｂにより、記憶部２４に記憶されている商品別ＰＯＰラベル数情報や、後述するＰＯＰラベル別情報が更新される。
【００８７】
また、例えば、入力部２２は、ある商品に関するＰＯＰラベルが変更になった時に、記憶部２４に記憶されている情報の変更を受け付ける。記憶部２４に記憶されている商品別ＰＯＰラベル数情報は、この入力に基づいて更新される。なお、ある商品に関するＰＯＰラベルが変更になった時とは、例えば、ある商品に貼付するＰＯＰラベルがＰＯＰラベルＲ１からＰＯＰラベルＲ２に変更になった時や、ある商品にＰＯＰラベルＲ１に加えＰＯＰラベルＲ２も貼付されることになった時を含む。
【００８８】
また、例えば、入力部２２は、あるＰＯＰラベルの格納場所が変更になった時に、記憶部２４に記憶されている情報の変更を受け付ける。記憶部２４に記憶されているＰＯＰラベル別情報は、この入力に基づいて更新される。なお、あるＰＯＰラベルの格納場所が変更になった時には、例えば、新たなＰＯＰラベルが格納棚１０のある格納場所Ｐに格納される事になった時や、これまで使用していたＰＯＰラベルを廃止し、格納場所Ｐから撤去する時を含む。
【００８９】
（２−２−４−３）出力部
出力部２３は、コンピュータ２０の操作者に対して情報を提示する装置である。出力部２３は、例えば、液晶ディスプレイを含む。
【００９０】
（２−２−４−４）記憶部
記憶部２４は、主に、ＲＡＭ、ＲＯＭや、ハードディスクドライブ等の補助記憶装置を有する。記憶部２４は、各種情報を記憶する。
【００９１】
例えば、記憶部２４には、制御部２５が各種処理を行うために実行するプログラムや、他の機器との通信に使用される通信プロトコルが定義されたプログラム等が格納されている。
【００９２】
また、記憶部２４は、各種情報を記憶する複数の記憶領域を有する。複数の記憶領域には、ＰＯＰラベル別情報記憶領域２４ａと、商品別ＰＯＰラベル数情報記憶領域２４ｂと、表示器設置位置情報記憶領域２４ｃと、商品マスタ記憶領域２４ｄとを含む（図１０参照）。
【００９３】
（２−２−４−４−１）ＰＯＰラベル別情報記憶領域
ＰＯＰラベル別情報記憶領域２４ａには、ＰＯＰラベル別情報が記憶される。ＰＯＰラベル別情報は、少なくとも、ＰＯＰラベルを特定するラベル情報（例えば、ラベルＮｏやラベル名）と、そのＰＯＰラベルの格納棚１０の格納場所Ｐにおける残数に関する情報と、が関連付けられた情報である。
【００９４】
例えば、ＰＯＰラベル別情報記憶領域２４ａには、各ＰＯＰラベルについて、ラベルＮｏと、ラベル名と、ラベルの印字内容と、そのラベルの格納棚１０における格納場所Ｐの情報と、そのラベルの格納場所Ｐにおける残数（以後、単にラベルの残数、又は、ＰＯＰラベルの残数と呼ぶ場合がある）と、格納場所Ｐのラベルの使用数（以後、単にラベルの使用数、又は、ＰＯＰラベルの使用数と呼ぶ場合がある）に関する情報と、が関連付けられたＰＯＰラベル別情報が記憶される（図１１参照）。ラベルの印字内容は、例えばＰＯＰラベルの印字内容の文字情報である。ラベルの格納棚１０における格納場所Ｐの情報は、例えば格納場所Ｐの識別符号である。ラベルの使用数に関する情報には、例えば、ＰＯＰラベルが前回入庫された後に使用された数（入庫後の使用済数）、所定期間当たりの平均使用数を含む。例えば、平均使用数は、１日の平均使用数である。なお、図１１では描画を省略しているが、ＰＯＰラベル別情報記憶領域２４ａには、各ＰＯＰラベルが前回いつ入庫されたか（そのＰＯＰラベルに関していつ入庫数が入力部２２に入力されたか）も記憶されていることが好ましい。平均使用数は、例えば、入庫後の使用済数と、入庫後の日数とから算出される。
【００９５】
コンピュータ２０に記憶されている情報を管理する情報管理者等は、あるＰＯＰラベルの格納場所Ｐが変更になった場合や、ある格納場所Ｐに新たなＰＯＰラベルが格納されることになった場合等に、入力部２２を利用してＰＯＰラベル別情報を更新する。なお、情報管理者によるＰＯＰラベル別情報の記憶内容の更新方法は、一例に過ぎず、情報管理者は、例えば、通信部２１と通信可能な携帯端末を用いて、ＰＯＰラベル別情報を更新してもよい。
【００９６】
また、ＰＯＰラベル別情報記憶領域２４ａに記憶されているＰＯＰラベル別情報は、後述する制御部２５の更新部２５ｂによって更新される。特に、更新部２５ｂは、ＰＯＰラベルの残数及びＰＯＰラベルの使用数に関してＰＯＰラベル別情報を更新する。更新部２５ｂによるＰＯＰラベル別情報の更新については後述する。
【００９７】
（２−２−４−４−２）商品別ＰＯＰラベル数情報記憶領域
商品別ＰＯＰラベル数情報記憶領域２４ｂには、商品別ＰＯＰラベル数情報が記憶される。商品別ＰＯＰラベル数情報は、少なくとも、商品を特定する商品情報と、その商品に関する（その商品に貼付される）ＰＯＰラベルを特定するラベル情報と、その商品に関するＰＯＰラベルの格納場所Ｐにおける残数に関する情報とが関連付けられた情報である。
【００９８】
商品を特定する商品情報は、例えば、商品の種類別の商品ＩＤ（例えば、商品に付されたＪＡＮコード等）である。ただし、商品を特定する商品情報は、商品ＩＤに限定されるものではなく、商品名等、商品を特定可能な情報であればよい。
【００９９】
商品別ＰＯＰラベル数情報記憶領域２４ｂには、例えば、商品別に、商品ＩＤ及び商品名と、その商品に関するＰＯＰラベルのラベル名及び格納場所Ｐにおける残数と、が関連付けられて商品別ＰＯＰラベル数情報として記憶される（図１２参照）。
【０１００】
なお、図１２は、商品別ＰＯＰラベル数情報記憶領域２４ｂに記憶される商品別ＰＯＰラベル数情報の一例にすぎない。商品別ＰＯＰラベル数情報記憶領域２４ｂには、更に、商品に関するその他の情報や、商品に関するＰＯＰラベルについてその他の情報が、商品を特定する商品情報と関連付けて記憶されてもよい。
【０１０１】
コンピュータ２０に記憶されている情報を管理する情報管理者等は、新たな商品が取り扱われる事になった場合や、ある商品に付すＰＯＰラベルが変更となった場合等に、入力部２２を利用して商品別ＰＯＰラベル数情報を更新する。なお、商品別ＰＯＰラベル数情報の更新方法は一例に過ぎず、情報管理者等は、例えば、通信部２１と通信可能な携帯端末を用いて、商品別ＰＯＰラベル数情報を更新してもよい。
【０１０２】
また、商品別ＰＯＰラベル数情報記憶領域２４ｂに記憶されている商品別ＰＯＰラベル数情報は、後述する制御部２５の更新部２５ｂによって更新される。特に、更新部２５ｂは、ＰＯＰラベルの残数に関して商品別ＰＯＰラベル数情報を更新する。更新部２５ｂによる商品別ＰＯＰラベル数情報の更新については後述する。
【０１０３】
（２−２−４−４−３）表示器設置位置情報記憶領域
表示器設置位置情報記憶領域２４ｃには、表示器設置位置情報が記憶されている。表示器設置位置情報は、複数の情報表示器３０のそれぞれに割り当てられた表示器ＩＤと、その情報表示器３０の設置位置情報と、が関連付けられた情報である。ここでは、情報表示器３０の設置位置情報は、その情報表示器３０と対応付けられている格納棚１０の格納場所Ｐの位置情報（格納場所Ｐの識別符号）である。
【０１０４】
（２−２−４−４−４）商品マスタ記憶領域
商品マスタ記憶領域２４ｄには、商品に関する各種情報を記憶する。商品マスタ記憶領域には、商品別（商品ＩＤ別）に、商品名、商品の単価、在庫情報等の、商品に関する各種情報が関連付けられて記憶されている。
【０１０５】
計量ラベル発行装置２００がコンピュータ２０に対してある商品に関する情報の送信を要求すると、コンピュータ２０は、商品マスタ記憶領域２４ｄを参照し、計量ラベル発行装置２００が要求してきた情報を読み出す。そして、コンピュータ２０は、読み出した情報を計量ラベル発行装置２００に対して送信する。
【０１０６】
（２−２−４−５）制御部
制御部２５は、主にＣＰＵを有する。制御部２５は、記憶部２４に記憶されているプログラムを実行することで、ＰＯＰラベル発注支援システム１００やラベル提供システム１０００を制御する。
【０１０７】
例えば、制御部２５は、計量ラベル発行装置２００からある商品に対する情報の送信要求があると、商品マスタ記憶領域２４ｄから送信を要求された情報を読み出し、読み出した情報を、ネットワーク９３を介して計量ラベル発行装置２００へと送信する。
【０１０８】
また、制御部２５は、例えば、ネットワーク９１，９２を介して接続されている情報表示器３０及び表示装置４０の表示を制御する。
【０１０９】
例えば、制御部２５は、情報表示器３０に、その情報表示器３０に対応付けられた格納棚１０の格納場所Ｐに格納されているＰＯＰラベルの印字内容及び残数（格納場所ＰにおけるＰＯＰラベルの残数）を表示させる（図９（ａ）参照）。図９（ａ）のような、ＰＯＰラベルの印字内容及び残数を表示内容に含む表示を、ここでは第１表示と呼ぶ。
【０１１０】
具体的には、制御部２５は、以下の様に、情報表示器３０の表示部３１に第１表示を表示させる。ここでは、ＰＯＰラベル別情報記憶領域２４ａに、新たなラベルＲ１が追加され、ラベルの印字内容“新鮮”や、ラベルの格納場所Ｐの識別符号Ｐ１２が、ラベル名に関連付けて登録されたと仮定して、制御部２５の動作を説明する。
【０１１１】
制御部２５は、ＰＯＰラベル別情報記憶領域２４ａを参照し、新たに追加されたＰＯＰラベルＲ１の印字内容（ここでは“新鮮”という文字情報）を取得する。また、制御部２５は、ＰＯＰラベル別情報記憶領域２４ａを参照し、新たに追加されたＰＯＰラベルＲ１の残数を取得する。そして、制御部２５は、取得した情報を表示内容に含む第１表示の画像データを生成する。また、制御部２５は、ＰＯＰラベル別情報記憶領域２４ａを参照し、新たに追加されたラベルＲ１の格納場所Ｐの識別符号Ｐ１２を取得する。次に、制御部２５は、表示器設置位置情報記憶領域２４ｃを参照し、取得したラベルＲ１の格納場所Ｐの識別符号と対応付けられている情報表示器３０の表示器ＩＤを取得する。そして、制御部２５は、取得した表示器ＩＤを有する情報表示器３０に、ネットワーク９１を介して、生成した画像データを送信する。
【０１１２】
また、制御部２５は、後述する機能部としての更新部２５ｂがＰＯＰラベル別情報記憶領域２４ａのＰＯＰラベルの残数を更新すると、更新後の内容で第１表示の画像データを適宜生成し、生成した画像データを、ネットワーク９１を介して、その第１表示を表示すべき情報表示器３０に対し送信する。
【０１１３】
また、例えば、制御部２５は、後述するようにサーバ３００に対してＰＯＰラベル発注情報を送信した後、そのＰＯＰラベル発注情報に応じてＰＯＰラベルが納品されるまでの間、第１表示に代えて、第２表示（図９（ｂ）参照）を情報表示器３０に表示させる。なお、ここでは、制御部２５は、あるＰＯＰラベルについてのＰＯＰラベル発注情報がサーバ３００に対して送信された後、そのＰＯＰラベルの入庫数が入力部２２に入力された時に、そのＰＯＰラベルが納品されたと判断するものとする。
【０１１４】
第２表示は、第１表示の表示内容に加え、ＰＯＰラベルの発注数と、ＰＯＰラベルの入庫予定日とを表示内容に含む表示である。ＰＯＰラベルの発注数は、後述する制御部２５の機能部の発注送信部２５ｄが送信するＰＯＰラベル発注情報に含まれる情報である。ＰＯＰラベルの入庫予定日は、ＰＯＰラベル発注情報を受信したサーバ３００が、コンピュータ２０に対して送信してくる情報である。
【０１１５】
具体的には、制御部２５は、以下の様に、情報表示器３０の表示部３１に第２表示を表示させる。
【０１１６】
ＰＯＰラベル別情報記憶領域２４ａには、予め各ＰＯＰラベルの発注数が、ＰＯＰラベルを特定するラベル情報と関連付けて記憶されている（図示省略）。また、制御部２５は、あるＰＯＰラベルについてサーバ３００に対してＰＯＰラベル発注情報を送信した後、サーバ３００からそのＰＯＰラベルの入庫予定日を受信した時に、ＰＯＰラベルの入庫予定日を、ＰＯＰラベルを特定するラベル情報と関連付けてＰＯＰラベル別情報記憶領域２４ａに記憶させる（図示省略）。また、制御部２５は、ＰＯＰラベルの入庫数が入力部２２に入力されると、そのＰＯＰラベルの入庫予定日をＰＯＰラベル別情報記憶領域２４ａから削除する。制御部２５は、ＰＯＰラベル別情報記憶領域２４ａにおいて、あるＰＯＰラベルについて、ＰＯＰラベルの入庫予定日が記憶されている間、第１表示の画像データに代えて、第２表示の画像データを生成する。そして、制御部２５は、生成した第２表示の画像データを、ネットワーク９１を介して、第１表示の送信と同様に、その第２表示を表示すべき情報表示器３０に送信する。
【０１１７】
なお、第１表示又は第２表示の画像データを受信した、情報の送信先の表示器ＩＤを有する情報表示器３０の制御部３４は、コンピュータ２０の送信してきた画像データを受信すると、受信した画像データを記憶部３３に記憶すると共に、表示部３１に画像データ（第１表示又は第２表示）を表示させる。そして、情報表示器３０は、コンピュータ２０から表示部３１の表示の変更指示を受け付けるまで（次に画像データが送信されてくるまで）、表示部３１の表示内容を維持する。
【０１１８】
また、制御部２５は、表示装置４０に、例えば、格納棚１０に格納されているＰＯＰラベルの、ＰＯＰラベルの種類別の残数のリストや、発注済みで未納品のＰＯＰラベルの種類、発注数、及び入庫予定日等を表示させる。
【０１１９】
具体的には、制御部２５は、ＰＯＰラベル別情報記憶領域２４ａを参照し、ＰＯＰラベルのラベル名別の残数のリストを生成する。また、制御部２５は、ＰＯＰラベル別情報記憶領域２４ａを参照し、ＰＯＰラベルの入庫予定日がラベル情報と関連付けて記憶されているＰＯＰラベルについて、ラベル名、発注数、及び入庫予定日の情報を取得する。そして、制御部２５は、ＰＯＰラベルのラベル名別の残数のリストと、発注済みで未納品のＰＯＰラベルのラベル名、発注数、及び入庫予定日を情報に含む画像データを生成する。さらに、制御部２５は、ネットワーク９２を介して、表示装置４０に生成した画像データを送信する。なお、制御部２５は、ＰＯＰラベル別情報記憶領域２４ａにおいて、ＰＯＰラベルの残数が更新されたり、ＰＯＰラベルの発注数及び入庫予定日のデータが追加・削除されたりすると、更新後の内容で再度画像データを生成し、ネットワーク９２を介して、その画像データを表示装置４０に送信する。
【０１２０】
画像データを受信した表示装置４０は、コンピュータ２０の送信してきた画像データを受信すると、受信した画像データを記憶部（図示省略）に記憶すると共に、表示部４１に画像データを表示させる。そして、表示装置４０は、コンピュータ２０から表示部４１の表示の変更指示を受け付けるまで（次に画像データが送信されてくるまで）、表示部４１の表示内容を維持する。
【０１２１】
また、制御部２５は、格納棚１０の格納場所ＰにおけるＰＯＰラベルの、残数、使用数及び入庫数をカウントし、カウント結果に基づいて、商品別ＰＯＰラベル数情報を更新する。また、制御部２５は、記憶部２４に記憶された商品別ＰＯＰラベル数情報に基づいて、ＰＯＰラベルの発注に関する決定を行い、その決定に基づき、ＰＯＰラベルを発注するＰＯＰラベル発注情報をサーバ３００に送信する。以下に、制御部２５のこれらの処理に係る機能部としてのカウンター２５ａ、更新部２５ｂ、決定部２５ｃ、及び発注送信部２５ｄについて説明する。
【０１２２】
（２−２−４−５−１）カウンター
カウンター２５ａは、格納場所ＰにおけるＰＯＰラベルの残数（以後、単にＰＯＰラベルの残数と呼ぶ場合がある）、格納場所ＰのＰＯＰラベルの使用数（以後、単にＰＯＰラベルの使用数と呼ぶ場合がある）、及び、格納場所ＰへのＰＯＰラベルの入庫数（以後、単にＰＯＰラベルの入庫数と呼ぶ場合がある）をカウントする。
【０１２３】
例えば、カウンター２５ａは、通信部２１が受信した処理通知情報に基づいて、ＰＯＰラベルの残数及び使用数（使用済数）をカウントする。処理通知情報は、前述のように、計量ラベル発行装置２００から送信される、商品に対し所定の処理（主ラベルの印字・発行処置）が行われたことを通知する商品別の情報である。
【０１２４】
カウンター２５ａは、具体的には、以下の様にしてＰＯＰラベルの残数及び使用数をカウントする。
【０１２５】
まず、カウンター２５ａは、通信部２１が処理通知情報を受信すると、その処理通知情報が、どの商品に関する処理通知情報であるかを特定する。次に、カウンター２５ａは、商品別ＰＯＰラベル数情報記憶領域２４ｂを参照し、特定した商品に関する（特定した商品の商品情報と関連付けられた）ＰＯＰラベルのラベル名と、そのＰＯＰラベルの残数とを読み出す。また、カウンター２５ａは、ＰＯＰラベル別情報記憶領域２４ａを参照し、商品別ＰＯＰラベル数情報記憶領域２４ｂから読み出したＰＯＰラベルのラベル名と関連付けられているＰＯＰラベルの使用数（入庫後の使用済数）を読み出す。そして、カウンター２５ａは、読み出したＰＯＰラベルの残数に対し１減算し（カウントダウンし）、その値を一時的にメモリ（図示省略）に記憶する。また、カウンター２５ａは、読み出したＰＯＰラベルの入庫後の使用済数に対し１加算し（カウントアップし）、その値を一時的にメモリ（図示省略）に記憶する。
【０１２６】
また、例えば、カウンター２５ａは、入力部２２が受け付けた入庫数に基づいて、格納棚１０の格納場所ＰへのＰＯＰラベルの入庫数をカウントする。カウンター２５ａは、入力部２２からＰＯＰラベルの種類及び入庫数が入力されると、入力された入庫数を一時的にメモリ（図示省略）に記憶する（入力された入庫数の数だけカウントアップし、一時的にメモリに記憶する）。
【０１２７】
（２−２−４−５−２）更新部
更新部２５ｂは、記憶部２４の商品別ＰＯＰラベル数情報記憶領域２４ｂに記憶されている商品別ＰＯＰラベル数情報を更新する。また、更新部２５ｂは、記憶部２４のＰＯＰラベル別情報記憶領域２４ａに記憶されているＰＯＰラベル別情報を更新する。
【０１２８】
更新部２５ｂは、カウンター２５ａのカウント結果に基づいて記憶部２４の商品別ＰＯＰラベル数情報記憶領域２４ｂに記憶されている商品別ＰＯＰラベル数情報を更新する。
【０１２９】
具体的には、更新部２５ｂは、あるＰＯＰラベルについて、カウンター２５ａによりカウントされたＰＯＰラベルの残数がメモリに記憶されると、メモリに記憶されている値を格納場所ＰにおけるそのＰＯＰラベルの残数として商品別ＰＯＰラベル数情報を更新する。
【０１３０】
なお、更新部２５ｂは、カウンター２５ａによりＰＯＰラベルの残数がカウントされるたびに、商品別ＰＯＰラベル数情報を更新するものでなくてもよい。例えば、計量ラベル発行装置２００は、ある種類の商品に関しての処理通知情報の送信を終了する際に、その種類の商品に対する処理の終了を通知する信号を送信するよう構成されてもよい。そして、更新部２５ｂは、通信部２１が処理の終了を通知する信号を受信するのを待って、カウンター２５ａによってカウントの対象となっているＰＯＰラベルに関し、メモリに記憶されたカウント結果に基づいて商品別ＰＯＰラベル数情報を更新してもよい。
【０１３１】
また、更新部２５ｂは、あるＰＯＰラベルについて、カウンター２５ａによりカウントされたＰＯＰラベルの入庫数がメモリに記憶されると、商品別ＰＯＰラベル数情報記憶領域２４ｂに記憶されている、そのＰＯＰラベルについてのＰＯＰラベルの残数にメモリに記憶された入庫数の値を加算し、算出された値を格納場所ＰにおけるＰＯＰラベルの残数として、商品別ＰＯＰラベル数情報記憶領域２４ｂの商品別ＰＯＰラベル数情報を更新する。つまり、更新部２５ｂは、入力部２２が受け付けた格納棚１０の格納場所ＰのＰＯＰラベルの入庫数に基づいて、商品別ＰＯＰラベル数情報記憶領域２４ｂに記憶されている格納場所Ｐにおける残数に関する情報を更新する。
【０１３２】
なお、更新部２５ｂは、商品別ＰＯＰラベル数情報記憶領域２４ｂにおいて、カウンター２５ａがＰＯＰラベルの残数又は入庫数をカウントした種類のＰＯＰラベルについて、商品を問わず（そのＰＯＰラベルと関連付けられた全ての商品について）、ＰＯＰラベルの残数を更新する。
【０１３３】
また、更新部２５ｂは、カウンター２５ａのカウント結果に基づいて記憶部２４のＰＯＰラベル別情報記憶領域２４ａに記憶されているＰＯＰラベル別情報を更新する。
【０１３４】
具体的には、更新部２５ｂは、あるＰＯＰラベルについて、カウンター２５ａによりカウントされたＰＯＰラベルの残数がメモリに記憶されると、メモリに記憶されている値を格納場所ＰにおけるＰＯＰラベルの残数としてＰＯＰラベル別情報を更新する。なお、更新部２５ｂが、カウンター２５ａによりＰＯＰラベルの残数がカウントされるたびにＰＯＰラベル別情報を更新しなくてもよいのは、商品別ＰＯＰラベル数情報の更新と同様である。
【０１３５】
また、更新部２５ｂは、あるＰＯＰラベルについて、カウンター２５ａによりカウントされたＰＯＰラベルの入庫数がメモリに記憶されると、ＰＯＰラベル別情報記憶領域２４ａに記憶されている、そのＰＯＰラベルについてのＰＯＰラベルの残数にメモリに記憶された入庫数の値を加算し、算出された値を格納場所ＰにおけるＰＯＰラベルの残数として、ＰＯＰラベル別情報記憶領域２４ａのＰＯＰラベル別情報を更新する。
【０１３６】
また、更新部２５ｂは、あるＰＯＰラベルについて、カウンター２５ａによりカウントされたＰＯＰラベルの入庫後の使用済数がメモリに記憶されると、メモリに記憶されている値を格納場所ＰにおけるＰＯＰラベルの入庫後の使用済数としてＰＯＰラベル別情報を更新する。なお、更新部２５ｂが、カウンター２５ａによりＰＯＰラベルの入庫後の使用済数がカウントされるたびにＰＯＰラベル別情報を更新しなくてもよいのは、ＰＯＰラベルの残数の更新と同様である。
【０１３７】
また、更新部２５ｂは、所定のタイミングで（例えば、毎日所定の時間に）、各ＰＯＰラベルについて、ＰＯＰラベル別情報記憶領域２４ａに記憶されているＰＯＰラベルの入庫後の使用済数を、ＰＯＰラベルの入庫後の日数で除すことにより、ＰＯＰラベルの１日当たりの平均使用数を算出し、この値を用いてＰＯＰラベル別情報記憶領域２４ａに記憶されているＰＯＰラベル別情報を更新する。
【０１３８】
（２−２−４−５−３）決定部
決定部２５ｃは、商品別ＰＯＰラベル数情報に基づいて、ＰＯＰラベルの発注に関する決定を行う。具体的には、決定部２５ｃは、ＰＯＰラベルの格納棚１０の格納場所Ｐにおける残数に関する情報に基づいて、ＰＯＰラベルの発注に関する決定を行う。特に、ここでは、決定部２５ｃは、ＰＯＰラベルの格納場所Ｐにおける残数に基づいて、ＰＯＰラベルの発注に関する決定を行う。
【０１３９】
例えば、決定部２５ｃは、商品別ＰＯＰラベル数情報のあるＰＯＰラベルの残数の値を所定の閾値と比較し、残数の値が閾値を下回る場合に、ＰＯＰラベルの発注する時期が来ていると決定する。なお、所定の閾値は、例えば、全てのＰＯＰラベルについて一律に決定されている値であってもよいし、あるいは、各ＰＯＰラベルについて個々に決定されている値であってもよい。所定の閾値は、デフォルト値であってもよいし、入力部２２から更新可能な値であってもよい。
【０１４０】
また、例えば、決定部２５ｃは、商品別ＰＯＰラベル数情報を参照し、あるＰＯＰラベルの格納場所Ｐにおける残数の値と、その格納場所ＰのＰＯＰラベルの平均使用数とに基づいて、ＰＯＰラベルの発注する時期が来ているか否かを決定してもよい。決定部２５ｃは、例えば、ＰＯＰラベルの残数の値が、所定日数分のＰＯＰラベルの使用数（平均使用数と所定日数との積）を下回る場合に、ＰＯＰラベルの発注する時期が来ていると決定してもよい。
【０１４１】
（２−２−４−５−４）発注送信部
発注送信部２５ｄは、送信部の一例である。発注送信部２５ｄは、決定部２５ｃの決定に基づき、ＰＯＰラベルを発注するＰＯＰラベル発注情報を送信する。具体的には、発注送信部２５ｄは、決定部２５ｃが発注する時期が来ていると決定した種類のＰＯＰラベルについて、発注するＰＯＰラベルの種類や発注数を含むＰＯＰラベル発注情報を、サーバ３００に対して送信する。
【０１４２】
なお、各ＰＯＰラベルの発注数は、例えば、ＰＯＰラベル別情報記憶領域２４ａに、ラベル別に（ＰＯＰラベルを特定するラベル情報と関連付けられて）記憶されている（図示省略）。なお、ＰＯＰラベルの発注数は、例えば、全てのＰＯＰラベルについて一律に決定されている値であってもよいし、あるいは、各ＰＯＰラベルについて個々に決定されている値であってもよい。また、ＰＯＰラベルの発注数は、デフォルト値であってもよいし、入力部２２から更新可能な値であってもよい。
【０１４３】
（３）特徴
ＰＯＰラベル発注支援システム１００は、以下の特徴を有する。
【０１４４】
（３−１）
第１実施形態に係るＰＯＰラベル発注支援システム１００は、格納部の一例としての格納棚１０と、記憶部２４と、更新部２５ｂと、決定部２５ｃと、を備える。格納棚１０は、複数のＰＯＰラベルをそれぞれの格納場所Ｐにおいて格納する。記憶部２４は、商品を特定する商品情報と、その商品に関するＰＯＰラベルの格納場所Ｐにおける残数に関する情報と、を関連付けて、商品別ＰＯＰラベル数情報として記憶する。更新部２５ｂは、商品別ＰＯＰラベル数情報を更新する。決定部２５ｃは、商品別ＰＯＰラベル数情報に基づいて、ＰＯＰラベルの発注に関する決定を行う。
【０１４５】
このＰＯＰラベル発注支援システム１００では、商品とその商品に付されるＰＯＰラベルの残数に関する情報とを関連付けた情報（商品別ＰＯＰラベル数情報）が更新して記憶され、商品別ＰＯＰラベル数情報に基づきＰＯＰラベルの発注に関する決定が行われる。そのため、商品に対する各種処理と結びつけてＰＯＰラベルの在庫を適切に管理し、ＰＯＰラベルの欠品を防止することができる。その結果、ＰＯＰラベルが欠品していて商品に付されるべきＰＯＰラベルを付すことができない、あるいは、ＰＯＰラベルが欠品しているためそのＰＯＰラベルを付すべき商品を顧客等に提供できない等の事態の発生を防止することができる。
【０１４６】
（３−２）
第１実施形態に係るＰＯＰラベル発注支援システム１００では、ＰＯＰラベルの格納場所Ｐにおける残数に関する情報には、格納場所ＰにおけるＰＯＰラベルの残数を含む。
【０１４７】
このＰＯＰラベル発注支援システム１００では、ＰＯＰラベルの在庫を管理し、ＰＯＰラベルの欠品を防止することが容易である。
【０１４８】
（３−３）
第１実施形態に係るＰＯＰラベル発注支援システム１００は、カウンター２５ａを備える。カウンター２５ａは、格納場所ＰにおけるＰＯＰラベルの残数、格納場所ＰのＰＯＰラベルの使用数、及び、格納場所ＰへのＰＯＰラベルの入庫数をカウントする。更新部２５ｂは、カウンター２５ａのカウント結果に基づいて商品別ＰＯＰラベル数情報を更新する。
【０１４９】
このＰＯＰラベル発注支援システム１００では、ＰＯＰラベルの残数、使用数、及び入庫数の少なくとも１つのカウント結果に応じて商品別ＰＯＰラベル数情報が更新される。そのため、正確な商品別ＰＯＰラベル数情報に基づいてＰＯＰラベルの在庫を管理し、ＰＯＰラベルの欠品を防止することができる。
【０１５０】
（３−４）
第１実施形態に係るＰＯＰラベル発注支援システム１００は、受信部の一例としての通信部２１を備える。通信部２１は、商品に対し所定の処理を行う商品処理装置の一例としての計量ラベル発行装置２００から送信される、商品に対し所定の処理（ラベルの印字・発行処理）が行われたことを通知する商品別の処理通知情報を受信する。カウンター２５ａは、通信部２１が受信した処理通知情報に基づいて、ＰＯＰラベルの残数及び使用数をカウントする。
【０１５１】
このＰＯＰラベル発注支援システム１００では、計量ラベル発行装置２００が商品に対し処理を行ったことを通知する商品別の処理通知情報に基づいてＰＯＰラベルの残数や使用数がカウントされ、これに基づいて商品別ＰＯＰラベル数情報が更新される。そのため、正確な商品別ＰＯＰラベル数情報に基づいて、ＰＯＰラベルの在庫を適切に管理し、ＰＯＰラベルの欠品を防止することができる。
【０１５２】
（３−５）
第１実施形態に係るＰＯＰラベル発注支援システム１００は、ＰＯＰラベルの入庫数を受け付ける受付部の一例としての入力部２２を備える。カウンター２５ａは、入力部２２が受け付けたＰＯＰラベルの入庫数に基づいて入庫数をカウントする。
【０１５３】
なお、ＰＯＰラベル発注支援システム１００は、入力部２２がＰＯＰラベルの入庫数を受け付ける代わりに、通信部２１が、例えば作業者の使用する携帯端末からＰＯＰラベルの入庫数を受け付けてもよい。
【０１５４】
このＰＯＰラベル発注支援システム１００では、受け付けたＰＯＰラベルの入庫数に基づいて入庫数がカウントされ、これに基づいて商品別ＰＯＰラベル数情報が更新されるので、正確な商品別ＰＯＰラベル数情報に基づいて、ＰＯＰラベルの在庫を適切に管理し、ＰＯＰラベルの欠品を防止することができる。
【０１５５】
（３−６）
第１実施形態に係るＰＯＰラベル発注支援システム１００は、送信部の一例としての発注送信部２５ｄを備える。発注送信部２５ｄは、決定部２５ｃの決定に基づき、ＰＯＰラベルを発注するＰＯＰラベル発注情報を送信する。
【０１５６】
このＰＯＰラベル発注支援システム１００では、決定部２５ｃの決定に基づいて自動でＰＯＰラベルが発注されるので、ＰＯＰラベルの欠品が防止されやすい。
【０１５７】
（４）変形例
上記実施形態のＰＯＰラベル発注支援システム１００、及びＰＯＰラベル発注支援システム１００を有するラベル提供システム１０００の変形例を以下に示す。なお、各変形例は、互いに矛盾が生じない範囲で他の変形例と組み合わせて適用されてもよい。
【０１５８】
（４−１）変形例１Ａ
上記実施形態では、コンピュータ２０は、商品処理装置の一例としての計量ラベル発行装置２００が発信する、商品に対し所定の処理（主ラベルの印字・発行処理）が行われたことを通知する商品別の処理通知情報を受信する。しかし、商品処理装置の種類は、計量ラベル発行装置に限定されるものではない。
【０１５９】
例えば、商品処理装置は、計量機能を有さず、商品の名称、商品ＩＤ（バーコード）及び商品の価格を印字内容に含む主ラベルを印字し、印字済みの主ラベルを発行するラベル発行装置であってもよい。そして、上記実施形態と同様に、コンピュータ２０は、ラベル発行装置が発信する、商品に対し所定の処理（主ラベルの印字・発行処理）が行われたことを通知する商品別の処理通知情報を受信してもよい。
【０１６０】
また、例えば、コンピュータ２０に処理通知情報を送信する商品処理装置は、ＰＯＰラベルを付す前の商品に対し各種検査を行う検査装置（例えば、重量検査装置やＸ線検査装置）等であってもよい。検査装置には、検査を行う前に検査のためのパラメータとして商品の種類を特定する入力が行われる。そして、コンピュータ２０は、検査装置が発信する、例えば、商品に対する検査を行って異常なしと判定したことを通知する商品別の処理通知情報を受信してもよい。
【０１６１】
また、ＰＯＰラベル発注支援システム１００は、未包装の商品（例えば容器に入れられた食品）を包装し、包装した商品に貼付する主ラベルを印字、発行し、商品に主ラベルを貼付する包装システム内で用いられるものであってもよい。そして、商品処理装置は、未包装の商品をフィルムで包んで包装すると共に、商品の重量を計量し、重量に応じた商品価格を算出し、商品名、商品の重量、商品価格、及び商品ＩＤ（バーコード）を印字内容に含む主ラベルを印字、発行し、これを商品に貼付する包装ラベル貼付装置であってもよい。そして、コンピュータ２０は、包装ラベル貼付装置が発信する、商品に対し所定の処理（包装処理、主ラベルの印字・発行処理、及び主ラベルの貼付処理）が行われたことを通知する商品別の処理通知情報を受信してもよい。
【０１６２】
（４−２）変形例１Ｂ
上記実施形態では、計量ラベル発行装置２００が、商品に対し所定の処理（主ラベルの印字・発行処理）が行われるたびに、処理通知情報を送信するがこれに限定されるものではない。例えば、計量ラベル発行装置２００からは、ある種類の複数の商品に所定の処理が行われた後に、処理回数を情報に含む処理通知情報を送信してもよい。そして、コンピュータ２０のカウンター２５ａは、受信した処理回数分だけ、ＰＯＰラベルの使用数（使用済数）をカウントアップし、ＰＯＰラベルの残数をカウントダウンしてもよい。
【０１６３】
（４−３）変形例１Ｃ
上記実施形態では、ラベル提供システム１０００は、計量ラベル発行装置２００を有するが、これに限定されるものではなく、ＰＯＰラベルだけを提供するシステムであってもよい。例えば、ラベル提供システム１０００では、商品にＰＯＰラベルを貼付する前又は後に、コンピュータ２０の入力部２２のバーコードリーダで商品に付されたバーコード（図示省略）を読み取る運用が行われてもよい。コンピュータ２０のカウンター２５ａは、バーコードリーダからの信号を処理通知情報と同様に利用して、格納棚１０の格納場所ＰにおけるＰＯＰラベルの残数及び使用数（使用済数）をカウントしてもよい。
【０１６４】
（４−４）変形例１Ｄ
上記実施形態で説明したコンピュータ２０の記憶部２４の構成は一例であって、これに限定されるものではない。
【０１６５】
例えば、記憶部２４の１つの記憶領域に、商品を特定する情報とその商品に関するＰＯＰラベルの種類の情報とが関連付けて記憶され、記憶部２４の他の記憶領域に、ＰＯＰラベルの種類とそのＰＯＰラベルの格納棚１０の格納場所Ｐにおける残数に関する情報とが関連付けて記憶されてもよい。このように、記憶部２４は、全体として（複数の記憶領域を利用して）、商品を特定する商品情報と、その商品に関するＰＯＰラベルの格納場所における残数に関する情報と、を関連付けて、商品別ＰＯＰラベル数情報として記憶してもよい。
【０１６６】
（４−５）変形例１Ｅ
上記実施形態のＰＯＰラベル発注支援システム１００は、決定部２５ｃの決定に基づき、発注送信部２５ｄがＰＯＰラベル発注情報をサーバ３００に対して送信するが、これに限定されるものではない。
【０１６７】
例えば、ＰＯＰラベル発注支援システム１００のコンピュータ２０は、図１３のように、発注送信部２５ｄに代えて、発注報知部１２５ｄを備えていてもよい。発注報知部１２５ｄは、決定部２５ｃの決定に基づき、ＰＯＰラベルの発注を促す情報を報知する。例えば、発注報知部１２５ｄは、決定部２５ｃによりＰＯＰラベルの発注する時期が来ていると決定されたＰＯＰラベルの格納場所Ｐと関連付けられた情報表示器３０の表示を制御し、その情報表示器３０にＰＯＰラベルの発注を促す情報（例えば、“ラベルを発注して下さい”という文章）を表示させる（図１４参照）。作業者等は、この情報表示器３０の表示を見て、ＰＯＰラベルの納品者等にＰＯＰラベルを発注すればよい。なお、発注報知部１２５ｄは、情報表示器３０に代えて、又は、情報表示器３０に加えて、表示装置４０やコンピュータ２０の出力部２３にＰＯＰラベルの発注を促す情報を表示させてもよい。
【０１６８】
ＰＯＰラベル発注支援システム１００をこのように構成する場合にも、決定部２５ｃの決定に基づきＰＯＰラベルの発注が促されるため、ＰＯＰラベルの欠品が防止されやすい。
【０１６９】
（４−６）変形例１Ｆ
上記実施形態では、ＰＯＰラベル発注支援システム１００は、情報表示器３０や表示装置４０を備えるが、ＰＯＰラベル発注支援システムは、これらの機器の一方又は両方を備えていなくてもよい。
【０１７０】
ただし、作業者等が、各ＰＯＰラベルの残数やＰＯＰラベルの発注状況等を容易に把握することができるように、ＰＯＰラベル発注支援システム１００は、これらの機器を備えていることが好ましい。
【０１７１】
（４−７）変形例１Ｇ
ＰＯＰラベル発注支援システム１００のコンピュータ２０は、商品マスタ（商品に関する各種情報）を記憶しているが、これに限定されるものではない。例えば、コンピュータ２０と、商品マスタを記憶するコンピュータとは異なるコンピュータであってもよい。
【０１７２】
（４−８）変形例１Ｈ
ラベル発注支援システム１００では、コンピュータ２０の記憶部２４の記憶内容は、入力部２２からの入力で更新されるが、これに限定されるものではない。
【０１７３】
例えば、コンピュータ２０は、コンピュータ２０の記憶部２４のデータを統括管理する管理サーバ（上位のコンピュータ）と、インターネット等のネットワークにより接続されてもよい。そして、コンピュータ２０は、管理サーバ側で更新された、ある商品にどのＰＯＰラベルを付すかというような情報を適宜読み出すことで記憶部２４の情報を更新してもよい。
【０１７４】
＜第２実施形態＞
本発明の第２実施形態に係るＰＯＰラベル発注支援システム及びＰＯＰラベル提供システムについて説明する。
【０１７５】
本発明の第２実施形態に係るＰＯＰラベル提供システムは、第１実施形態に係るラベル提供システム１０００と、ＰＯＰラベル発注支援システム以外は同様であるので、ＰＯＰラベル発注支援システム全体に関しての図面及び説明は省略する。
【０１７６】
また、第２実施形態に係るＰＯＰラベル発注支援システムは、第１実施形態に係るＰＯＰラベル発注支援システム１００と、コンピュータ４２０以外は同様であるので、相違点であるコンピュータ４２０についてのみ説明し、それ以外の構成についての説明は省略する。なお、以下の説明では、本発明の第２実施形態に係るＰＯＰラベル発注支援システムの構成のうち、第１実施形態に係るＰＯＰラベル発注支援システム１００と同様の構成については、第１実施形態と同一の参照符号を使用する。
【０１７７】
（１）コンピュータ
コンピュータ４２０は、第１実施形態のコンピュータ２０と同様の点も多いため、主に相違点を説明する。
【０１７８】
コンピュータ４２０も、商品を特定する商品情報と、その商品に関するＰＯＰラベルを特定する情報と、を関連付けて記憶する。また、コンピュータ４２０も、商品に付されるＰＯＰラベルの格納棚１０の格納場所Ｐにおける残数に関する情報を記憶し、適宜更新する。コンピュータ４２０も、商品を特定する商品情報と、その商品に関するＰＯＰラベルの格納棚１０の格納場所Ｐにおける残数に関する情報とを関連付けて、商品別ＰＯＰラベル数情報として記憶し、適宜更新する。
【０１７９】
ただし、コンピュータ４２０は、商品に関するＰＯＰラベルの格納場所Ｐにおける残数に関する情報が、格納場所ＰのＰＯＰラベルの使用数（ＰＯＰラベルが前回入庫された後に使用された数（入庫後の使用済数））である点で、第１実施形態のコンピュータ２０と相違する。
【０１８０】
コンピュータ４２０は、通信部２１と、入力部２２と、出力部２３と、記憶部４２４と、制御部４２５と、を主に有する（図１５参照）。ここでは、コンピュータ４２０の、第１実施形態のコンピュータ２０との相違点である、記憶部４２４及び制御部４２５について説明し、通信部２１、入力部２２、及び出力部２３の説明は省略する。
【０１８１】
（１−１）記憶部
記憶部４２４の物理的な構成は、第１実施形態の記憶部２４の物理的な構成と同様である。
【０１８２】
記憶部４２４には、制御部４２５が各種処理を行うために実行するプログラムや、他の機器との通信に使用される通信プロトコルが定義されたプログラム等が格納されている。
【０１８３】
また、記憶部４２４は、各種情報を記憶する複数の記憶領域を有する。複数の記憶領域には、ＰＯＰラベル別情報記憶領域４２４ａと、商品別ＰＯＰラベル数情報記憶領域４２４ｂと、表示器設置位置情報記憶領域２４ｃと、商品マスタ記憶領域２４ｄとを含む（図１５参照）。ここでは、第１実施形態との相違点であるＰＯＰラベル別情報記憶領域４２４ａ及び商品別ＰＯＰラベル数情報記憶領域４２４ｂに記憶される情報について説明する。
【０１８４】
（１−１−１）ＰＯＰラベル別情報記憶領域
ＰＯＰラベル別情報記憶領域４２４ａには、第１実施形態のＰＯＰラベル別情報記憶領域２４ａと同様に、ＰＯＰラベル別情報が記憶される。
【０１８５】
ＰＯＰラベル別情報は、第１実施形態と同様に、少なくとも、ＰＯＰラベルを特定するラベル情報と、そのＰＯＰラベルの格納棚１０の格納場所Ｐにおける残数に関する情報と、が関連付けられた情報である。ただし、第２実施形態では、ＰＯＰラベル別情報は、各ＰＯＰラベルについて、ラベルＮｏと、ラベル名と、ラベルの印字内容と、そのラベルの格納棚１０における格納場所Ｐの情報と、格納場所Ｐのラベルの使用数に関する情報と、が関連付けられた情報である（図１６参照）。ラベルの使用数に関する情報は、第１実施形態と同様の情報である。なお、図１６では描画を省略しているが、ＰＯＰラベル別情報記憶領域４２４ａには、各ＰＯＰラベルが前回いつ入庫されたか（そのＰＯＰラベルに関していつ入庫数が入力部２２に入力されたか）も記憶されていることが好ましい。平均使用数は、例えば、入庫後の使用済数と、入庫後の日数とから算出される。
【０１８６】
あるＰＯＰラベルの格納場所Ｐが変更になった場合や、ある格納場所Ｐに新たなＰＯＰラベルが格納されることになった場合等の、ＰＯＰラベル別情報記憶領域４２４ａの記憶内容の更新方法については、第１実施形態と同様である。
【０１８７】
また、ＰＯＰラベル別情報記憶領域４２４ａに記憶されているＰＯＰラベル別情報は、後述する制御部４２５の更新部４２５ｂによって更新される。特に、更新部４２５ｂは、ＰＯＰラベルの使用数に関してＰＯＰラベル別情報を更新する。更新部４２５ｂによるＰＯＰラベル別情報の更新については後述する。
【０１８８】
（１−１−２）商品別ＰＯＰラベル数情報記憶領域
商品別ＰＯＰラベル数情報記憶領域４２４ｂには、商品別ＰＯＰラベル数情報が記憶される。商品別ＰＯＰラベル数情報は、少なくとも、商品を特定する商品情報と、その商品に関するＰＯＰラベルを特定するラベル情報と、その商品に関するＰＯＰラベルの格納場所Ｐにおける残数に関する情報とが関連付けられた情報である。
【０１８９】
商品を特定する商品情報については、第１実施形態と同様であるため説明は省略する。
【０１９０】
商品別ＰＯＰラベル数情報記憶領域４２４ｂには、例えば、商品別に、商品ＩＤ及び商品名と、その商品に関するＰＯＰラベルのラベル名及び使用数（使用済数）と、が関連付けて商品別ＰＯＰラベル数情報として記憶される（図１７参照）。ＰＯＰラベルの使用数は、ＰＯＰラベルが前回入庫された後に使用された数である。
【０１９１】
新たな商品が取り扱われる事になった場合や、ある商品に付すＰＯＰラベルが変更となった場合等の、商品別ＰＯＰラベル数情報の更新については、第１実施形態と同様であるので説明は省略する。
【０１９２】
また、商品別ＰＯＰラベル数情報記憶領域４２４ｂに記憶されている商品別ＰＯＰラベル数情報は、後述する制御部４２５の更新部４２５ｂによって更新される。特に、更新部４２５ｂは、ＰＯＰラベルの使用数に関して商品別ＰＯＰラベル数情報を更新する。更新部４２５ｂによる商品別ＰＯＰラベル数情報の更新については後述する。
【０１９３】
（１−２）制御部
制御部４２５の物理的な構成は、第１実施形態の制御部２５の物理的な構成と同様である。また、制御部４２５の機能の多くは、第１実施形態の制御部２５と同様である。
【０１９４】
例えば、制御部４２５も、計量ラベル発行装置２００からある商品に対する情報の送信要求があると、商品マスタ記憶領域２４ｄから送信を要求された情報を読み出し、読み出した情報を、ネットワーク９３を介して計量ラベル発行装置２００へと送信する。
【０１９５】
また、制御部４２５は、例えば、ネットワーク９１，９２を介して接続されている情報表示器３０及び表示装置４０の表示を制御する。制御部４２５は、情報表示器３０及び表示装置４０に、ＰＯＰラベルの格納場所Ｐにおける残数ではなく、ＰＯＰラベルの使用数（入庫後の使用済数）を表示させる点を除き、第１実施形態の制御部２５と同様であるので、制御部４２５による情報表示器３０及び表示装置４０の表示の制御については説明を省略する。
【０１９６】
制御部４２５は、第１実施形態の制御部２５と同様に、機能部として、カウンター４２５ａ、更新部４２５ｂ、決定部４２５ｃ、及び発注送信部２５ｄを有する。ここでは、カウンター４２５ａ、更新部４２５ｂ及び決定部４２５ｃについて、第１実施形態の制御部２５のカウンター２５ａ、更新部２５ｂ及び決定部２５ｃとの主な違いを説明する。
【０１９７】
なお、カウンター４２５ａ、更新部４２５ｂ、及び決定部４２５ｃの説明の前に、第２実施形態に係るＰＯＰラベル発注支援システムと、第１実施形態に係るＰＯＰラベル発注支援システム１００との処理の違いについて説明する。
【０１９８】
第１実施形態のＰＯＰラベル発注支援システム１００では、ＰＯＰラベルの数が減ると、ＰＯＰラベルが発注され、ＰＯＰラベルが納品されると、納品されたＰＯＰラベルが、格納棚１０の対応する格納場所Ｐに追加格納される。これに対し、第２実施形態のＰＯＰラベル発注支援システムでは、ＰＯＰラベルが納品されても、納品されたＰＯＰラベルが格納棚１０の対応する格納場所Ｐにすぐには格納されず、ＰＯＰラベルが格納場所Ｐから無くなった後に初めて格納棚１０の対応する格納場所Ｐに格納される。
【０１９９】
また、第２実施形態では、各ＰＯＰラベルの入庫数（発注数）は、それぞれ所定の数で一定である。つまり、ＰＯＰラベルＲ１の１回の入庫数は４００枚というように、予め定められている。このような運用が行われることで、格納場所ＰのＰＯＰラベルの使用数（使用済数）を把握することで、コンピュータ４２０は、ＰＯＰラベルの格納場所Ｐにおける残数を把握することができる。なお、このような運用が行われる場合には、ＰＯＰラベルの入庫数は既知であるので、入力部２２は、ＰＯＰラベルがその格納場所Ｐに格納される際に、ＰＯＰラベルの入庫があった旨だけを受け付けるように構成されていればよい（入力部２２には、入力数は入力されなくてもよい）。
【０２００】
なお、入力部２２が各ＰＯＰラベルの入庫数を受け付け、受け付けた入庫数が記憶部４２４の商品別ＰＯＰラベル数情報記憶領域４２４ｂ等に記憶されるようにコンピュータ４２０が構成される場合、各ＰＯＰラベルの入庫数は常に一定でなくてもよい（変更されてもよい）。このようにコンピュータ４２０が構成される場合にも、入庫数から使用数を差し引くことで、コンピュータ４２０は、ＰＯＰラベルの格納場所Ｐにおける残数を把握することができる。
【０２０１】
（１−２−１）カウンター
カウンター４２５ａは、格納棚１０の格納場所ＰにおけるＰＯＰラベルの使用数をカウントする。格納場所ＰのＰＯＰラベルの使用数（使用済数）のカウント方法は、第１実施形態と同様であるため、説明は省略する。
【０２０２】
（１−２−２）更新部
更新部４２５ｂは、記憶部４２４の商品別ＰＯＰラベル数情報記憶領域４２４ｂに記憶されている商品別ＰＯＰラベル数情報を更新する。また、更新部４２５ｂは、記憶部４２４のＰＯＰラベル別情報記憶領域４２４ａに記憶されているＰＯＰラベル別情報を更新する。
【０２０３】
更新部４２５ｂは、カウンター４２５ａのカウント結果に基づいて記憶部４２４の商品別ＰＯＰラベル数情報記憶領域４２４ｂに記憶されている商品別ＰＯＰラベル数情報を更新する。
【０２０４】
具体的には、更新部４２５ｂは、第１実施形態と同様の手法で、あるＰＯＰラベルについて、カウンター４２５ａによりカウントされたＰＯＰラベルの使用済数がメモリに記憶されると、メモリに記憶されている値を格納場所ＰにおけるＰＯＰラベルの使用済数として商品別ＰＯＰラベル数情報を更新する。
【０２０５】
また、更新部４２５ｂは、カウンター４２５ａのカウント結果に基づいて記憶部４２４のＰＯＰラベル別情報記憶領域４２４ａに記憶されているＰＯＰラベル別情報を更新する。
【０２０６】
具体的には、更新部４２５ｂは、第１実施形態と同様の手法で、あるＰＯＰラベルについて、カウンター４２５ａによりカウントされたＰＯＰラベルの入庫後の使用済数がメモリに記憶されると、メモリに記憶されている値を格納場所ＰにおけるＰＯＰラベルの入庫後の使用済数としてＰＯＰラベル別情報を更新する。
【０２０７】
また、更新部４２５ｂは、所定のタイミングで（例えば、毎日所定の時間に）、各ＰＯＰラベルについて、ＰＯＰラベル別情報記憶領域４２４ａに記憶されているＰＯＰラベルの入庫後の使用済数を、ＰＯＰラベルの入庫後の日数で除すことにより、ＰＯＰラベルの１日当たりの平均使用数を算出し、この値を用いてＰＯＰラベル別情報記憶領域４２４ａに記憶されているＰＯＰラベル別情報を更新する。
【０２０８】
（１−２−３）決定部
決定部４２５ｃは、商品別ＰＯＰラベル数情報に基づいて、ＰＯＰラベルの発注に関する決定を行う。具体的には、決定部４２５ｃは、ＰＯＰラベルの格納棚１０の格納場所Ｐにおける残数に関する情報に基づいて、ＰＯＰラベルの発注に関する決定を行う。特に、ここでは、決定部４２５ｃは、格納場所ＰのＰＯＰラベルの使用数に基づいて、ＰＯＰラベルの発注に関する決定を行う。
【０２０９】
例えば、決定部４２５ｃは、商品別ＰＯＰラベル数情報のあるＰＯＰラベルの使用数の値を、所定の閾値と比較し、使用数の値が閾値を上回る場合に、ＰＯＰラベルの発注する時期が来ていると決定する。なお、所定の閾値は、例えば、全てのＰＯＰラベルについて一律に決定されている値であってもよいし、あるいは、各ＰＯＰラベルについて個々に決定されている値であってもよい。所定の閾値は、デフォルト値であってもよいし、入力部２２から更新可能な値であってもよい。
【０２１０】
（２）特徴
第２実施形態のＰＯＰラベル発注支援システムも、ＰＯＰラベルの格納場所Ｐにおける残数に関する情報が格納場所ＰのＰＯＰラベルの使用数（使用済数）である点、カウンター４２５ａが格納場所ＰのＰＯＰラベルの使用数を主にカウントする点を除き、第１実施形態のＰＯＰラベル発注支援システム１００の特徴として記載した（３−１）〜（３−４）,（３−６）と同様の特徴を有する。
【０２１１】
（３）変形例
第２実施形態のＰＯＰラベル発注支援システムについても、矛盾のない範囲で、第１実施形態のＰＯＰラベル発注支援システム１００の１又は複数の変形例を適用することができる。
【０２１２】
＜第３実施形態＞
本発明の第３実施形態に係るＰＯＰラベル発注支援システム、及びＰＯＰラベル提供システムについて説明する。
【０２１３】
本発明の第３実施形態に係るＰＯＰラベル提供システムは、第１実施形態に係るラベル提供システム１０００と、ＰＯＰラベル発注支援システム以外は同様であるので、ＰＯＰラベル発注支援システム全体に関しての図面及び説明は省略する。
【０２１４】
また、第３実施形態に係るＰＯＰラベル発注支援システムは、第１実施形態に係るＰＯＰラベル発注支援システム１００と、コンピュータ５２０以外は同様であるので、相違点であるコンピュータ５２０についてのみ説明し、その他の構成についての説明は省略する。なお、以下の説明では、本発明の第３実施形態に係るＰＯＰラベル発注支援システムの構成のうち、第１実施形態に係るＰＯＰラベル発注支援システム１００と同様の構成については、第１実施形態と同一の符号を使用する。
【０２１５】
（１）コンピュータ
コンピュータ５２０は、第１実施形態のコンピュータ２０と同様の点も多いため、主に相違点を説明する。
【０２１６】
コンピュータ５２０も、商品を特定する商品情報と、その商品に関するＰＯＰラベルを特定する情報と、を関連付けて記憶する。また、コンピュータ５２０も、商品に付されるＰＯＰラベルの格納棚１０の格納場所Ｐにおける残数に関する情報を記憶し、適宜更新する。コンピュータ５２０も、商品を特定する商品情報と、その商品に関するＰＯＰラベルの格納棚１０の格納場所Ｐにおける残数に関する情報とを関連付けて、商品別ＰＯＰラベル数情報として記憶し、適宜更新する。
【０２１７】
ただし、コンピュータ５２０は、商品に関するＰＯＰラベルの格納場所Ｐにおける残数に関する情報が、格納場所ＰへのＰＯＰラベルの入庫数である点で、第１実施形態のコンピュータ２０と相違する。
【０２１８】
コンピュータ５２０は、通信部２１と、入力部２２と、出力部２３と、記憶部５２４と、制御部５２５と、を主に有する（図１８参照）。ここでは、コンピュータ５２０の、第１実施形態のコンピュータ２０との相違点である、記憶部５２４及び制御部５２５について説明し、通信部２１、入力部２２、及び出力部２３の説明は省略する。
【０２１９】
（１−１）記憶部
記憶部５２４の物理的な構成は、第１実施形態の記憶部２４の物理的な構成と同様である。
【０２２０】
記憶部５２４には、制御部５２５が各種処理を行うために実行するプログラムや、他の機器との通信に使用される通信プロトコルが定義されたプログラム等が格納されている。
【０２２１】
また、記憶部５２４は、各種情報を記憶する複数の記憶領域を有する。複数の記憶領域には、ＰＯＰラベル別情報記憶領域５２４ａと、商品別ＰＯＰラベル数情報記憶領域５２４ｂと、表示器設置位置情報記憶領域２４ｃと、商品マスタ記憶領域２４ｄとを含む（図１８参照）。ここでは、第１実施形態との相違点であるＰＯＰラベル別情報記憶領域５２４ａ及び商品別ＰＯＰラベル数情報記憶領域５２４ｂに記憶される情報について説明する。
【０２２２】
（１−１−１）ＰＯＰラベル別情報記憶領域
ＰＯＰラベル別情報記憶領域５２４ａには、第１実施形態のＰＯＰラベル別情報記憶領域２４ａと同様に、ＰＯＰラベル別情報が記憶される。
【０２２３】
ＰＯＰラベル別情報は、第１実施形態と同様に、少なくとも、ＰＯＰラベルを特定するラベル情報と、そのＰＯＰラベルの格納棚１０の格納場所Ｐにおける残数に関する情報と、が関連付けられた情報である。ただし、第３実施形態では、ＰＯＰラベル別情報は、各ＰＯＰラベルについて、ラベルＮｏと、ラベル名と、ラベルの印字内容と、そのラベルの格納棚１０における格納場所Ｐの情報と、そのラベルの入庫数と、そのラベルの平均使用数と、前回ＰＯＰラベルが入庫されてからの日数が関連付けられた情報である（図１９参照）。
【０２２４】
ＰＯＰラベルの入庫数は、前回入庫されたＰＯＰラベルの数である。
【０２２５】
ＰＯＰラベルの平均使用数は、ＰＯＰラベルの１日当たりの平均使用数であり、以下の様にして算出された値である。後述する、商品別ＰＯＰラベル数情報記憶領域５２４ｂには、各商品の平均生産数（１日に平均何個の商品に対しＰＯＰラベルが付されるか）と、その商品にどのＰＯＰラベルが付されるかが記憶されている（図２０参照）。ＰＯＰラベルの平均使用数は、このような商品別ＰＯＰラベル数情報記憶領域５２４ｂに基づいて算出される、各ＰＯＰラベルの１日の使用数の平均である。
【０２２６】
あるＰＯＰラベルの格納場所Ｐが変更になった場合や、ある格納場所Ｐに新たなＰＯＰラベルが格納されることになった場合等の、ＰＯＰラベル別情報記憶領域５２４ａの記憶内容の更新方法については、第１実施形態と同様である。
【０２２７】
また、ＰＯＰラベル別情報記憶領域５２４ａに記憶されているＰＯＰラベル別情報は、後述する制御部５２５の更新部５２５ｂによって更新される。特に、更新部５２５ｂは、ＰＯＰラベルの入庫数に関してＰＯＰラベル別情報を更新する。更新部５２５ｂによるＰＯＰラベル別情報の更新については後述する。
【０２２８】
（１−１−２）商品別ＰＯＰラベル数情報記憶領域
商品別ＰＯＰラベル数情報記憶領域５２４ｂには、商品別ＰＯＰラベル数情報が記憶される。商品別ＰＯＰラベル数情報は、少なくとも、商品を特定する商品情報と、その商品に関するＰＯＰラベルを特定するラベル情報と、その商品に関するＰＯＰラベルの格納場所Ｐにおける残数に関する情報とが関連付けられた情報である。
【０２２９】
商品を特定する商品情報については、第１実施形態と同様であるため説明は省略する。
【０２３０】
商品別ＰＯＰラベル数情報記憶領域５２４ｂには、例えば、商品別に、商品ＩＤ及び商品名と、その商品の平均生産数と、その商品に関するＰＯＰラベルのラベル名、入庫数、平均使用数、及び前回ＰＯＰラベルが入庫されてからの日数が関連付けられて商品別ＰＯＰラベル数情報として記憶される（図２０参照）。
【０２３１】
商品の平均生産数は、例えば、商品マスタ記憶領域２４ｄ（例えば、その商品の出荷数の履歴等の情報）を参照して得られた情報である。
【０２３２】
ＰＯＰラベルの入庫数及びＰＯＰラベルの平均使用数については、ＰＯＰラベル別情報記憶領域５２４ａに関する記載の中で既に説明したので、ここでは記載を省略する。
【０２３３】
新たな商品が取り扱われる事になった場合や、ある商品に付すＰＯＰラベルが変更となった場合等の、商品別ＰＯＰラベル数情報の更新については、第１実施形態と同様であるので説明は省略する。
【０２３４】
また、商品別ＰＯＰラベル数情報記憶領域５２４ｂに記憶されている商品別ＰＯＰラベル数情報は、後述する制御部５２５の更新部５２５ｂによって更新される。特に、更新部５２５ｂは、ＰＯＰラベルの入庫数に関して商品別ＰＯＰラベル数情報を更新する。更新部５２５ｂによる商品別ＰＯＰラベル数情報の更新については後述する。
【０２３５】
（１−２）制御部
制御部５２５の物理的な構成は、第１実施形態の制御部２５の物理的な構成と同様である。また、制御部５２５の機能の多くは、第１実施形態の制御部２５と同様である。
【０２３６】
例えば、制御部５２５も、計量ラベル発行装置２００からある商品に対する情報の送信要求があると、商品マスタ記憶領域２４ｄから送信を要求された情報を読み出し、読み出した情報を、ネットワーク９３を介して計量ラベル発行装置２００へと送信する。
【０２３７】
また、制御部５２５は、例えば、ネットワーク９１，９２を介して接続されている情報表示器３０及び表示装置４０の表示を制御する。制御部４２５は、情報表示器３０及び表示装置４０に、ＰＯＰラベルの格納場所Ｐにおける残数として、ＰＯＰラベルの入庫数から、ＰＯＰラベルの平均使用数と入庫からの日数との積を差し引いた値を表示させる点を除き、第１実施形態の制御部２５と同様であるので、制御部５２５による情報表示器３０及び表示装置４０の表示の制御については説明を省略する。
【０２３８】
制御部５２５は、第１実施形態の制御部２５と同様に、機能部として、カウンター５２５ａ、更新部５２５ｂ、決定部５２５ｃ、及び発注送信部２５ｄを有する。ここでは、カウンター５２５ａ、更新部５２５ｂ及び決定部５２５ｃについて、第１実施形態の制御部２５のカウンター２５ａ、更新部２５ｂ及び決定部２５ｃとの主な違いを説明する。
【０２３９】
なお、カウンター５２５ａ、更新部５２５ｂ、及び決定部５２５ｃの説明の前に、第３実施形態に係るＰＯＰラベル発注支援システムと、第１実施形態に係るＰＯＰラベル発注支援システム１００との処理の違いについて説明する。
【０２４０】
第１実施形態のＰＯＰラベル発注支援システム１００では、ＰＯＰラベルの数が減ると、ＰＯＰラベルが発注され、ＰＯＰラベルが納品されると、納品されたＰＯＰラベルが、格納棚１０の対応する格納場所Ｐに追加格納される。これに対し、第３実施形態のＰＯＰラベル発注支援システムでは、ＰＯＰラベルが納品されても、納品されたＰＯＰラベルが格納棚１０の対応する格納場所Ｐにすぐには格納されず、ＰＯＰラベルが格納場所Ｐから無くなった後に初めて格納棚１０の対応する格納場所Ｐに格納される。
【０２４１】
また、第３実施形態のＰＯＰラベル発注支援システムでは、各商品について平均出荷数が予め把握されている。なお、商品別ＰＯＰラベル数情報記憶領域５２４ｂに記憶されている各商品の平均生産数は適宜更新されることが好ましい。
【０２４２】
なお、第３実施形態のＰＯＰラベル発注支援システムでは、コンピュータ５２０の通信部２１は、計量ラベル発行装置２００から送信される処理通知情報を受信するように構成されていなくてもよい。
【０２４３】
（１−２−１）カウンター
カウンター５２５ａは、入力部２２が受け付けた入庫数に基づいて、格納棚１０の格納場所ＰにおけるＰＯＰラベルへの入庫数をカウントする。カウンター５２５ａは、入力部２２からＰＯＰラベルの種類と入庫数とが入力されると、入力された入庫数を一時的にメモリ（図示省略）に記憶する（入力された入庫数の数だけカウントアップし、一時的にメモリに記憶する）。
【０２４４】
（１−２−２）更新部
更新部５２５ｂは、記憶部５２４の商品別ＰＯＰラベル数情報記憶領域５２４ｂに記憶されている商品別ＰＯＰラベル数情報を更新する。また、更新部５２５ｂは、記憶部５２４のＰＯＰラベル別情報記憶領域５２４ａに記憶されているＰＯＰラベル別情報を更新する。
【０２４５】
更新部５２５ｂは、カウンター５２５ａのカウント結果に基づいて記憶部５２４の商品別ＰＯＰラベル数情報記憶領域５２４ｂに記憶されている商品別ＰＯＰラベル数情報を更新する。
【０２４６】
具体的には、更新部５２５ｂは、あるＰＯＰラベルについて、カウンター５２５ａによりカウントされたＰＯＰラベルの入庫数がメモリに記憶されると、メモリに記憶されている値を、そのＰＯＰラベルの格納場所Ｐへの入庫数として商品別ＰＯＰラベル数情報を更新する。つまり、更新部５２５ｂは、入力部２２が受け付けた格納棚１０の格納場所ＰのＰＯＰラベルの入庫数に基づいて、商品別ＰＯＰラベル数情報記憶領域５２４ｂに記憶されている格納場所Ｐにおける残数に関する情報を更新する。
【０２４７】
また、更新部５２５ｂは、所定のタイミングで（例えば、毎日所定の時間に）、各ＰＯＰラベルの入庫からの日数をカウントアップし、この値を用いて商品別ＰＯＰラベル数情報記憶領域５２４ｂの商品別ＰＯＰラベル数情報（ＰＯＰラベルの入庫からの日数）を更新する。なお、ＰＯＰラベルの入庫からの日数は、入力部２２にＰＯＰラベルの入庫数が入力された時にリセットされる。
【０２４８】
また、更新部５２５ｂは、カウンター５２５ａのカウント結果に基づいて記憶部５２４のＰＯＰラベル別情報記憶領域５２４ａに記憶されているＰＯＰラベル別情報を更新する。
【０２４９】
具体的には、更新部５２５ｂは、あるＰＯＰラベルについて、カウンター５２５ａによりカウントされたＰＯＰラベルの入庫数がメモリに記憶されると、メモリに記憶されている値を、そのＰＯＰラベルの格納場所Ｐへの入庫数としてＰＯＰラベル別情報を更新する。
【０２５０】
また、更新部５２５ｂは、所定のタイミングで（例えば、毎日所定の時間に）、各ＰＯＰラベルの入庫からの日数をカウントアップし、この値を用いてＰＯＰラベル別情報記憶領域５２４ａのＰＯＰラベル別情報（ＰＯＰラベルの入庫からの日数）を更新する。なお、ＰＯＰラベルの入庫からの日数は、入力部２２にＰＯＰラベルの入庫数が入力された時にリセットされる。
【０２５１】
（１−２−３）決定部
決定部５２５ｃは、商品別ＰＯＰラベル数情報に基づいて、ＰＯＰラベルの発注に関する決定を行う。具体的には、決定部５２５ｃは、ＰＯＰラベルの格納棚１０の格納場所Ｐにおける残数に関する情報に基づいて、ＰＯＰラベルの発注に関する決定を行う。特に、ここでは、決定部５２５ｃは、格納場所ＰへのＰＯＰラベルの入庫数に基づいて、ＰＯＰラベルの発注に関する決定を行う。
【０２５２】
例えば、決定部５２５ｃは、商品別ＰＯＰラベル数情報記憶領域５２４ｂを参照し、あるＰＯＰラベルについて、格納場所ＰへのＰＯＰラベルの入庫数から、ＰＯＰラベルの平均使用数とＰＯＰラベルの入庫からの日数との積を差し引いた値を算出する。この算出値は、ＰＯＰラベルの格納場所Ｐにおける残数の推測値である。そして、決定部５２５ｃは、算出値（ＰＯＰラベルの格納場所Ｐにおける残数の推測値）を、所定の閾値と比較し、算出値が閾値を下回る場合に、ＰＯＰラベルの発注する時期が来ていると決定する。なお、所定の閾値は、例えば、全てのＰＯＰラベルについて一律に決定されている値であってもよいし、あるいは、各ＰＯＰラベルについて個々に決定されている値であってもよい。所定の閾値は、デフォルト値であってもよいし、入力部２２から更新可能な値であってもよい。
【０２５３】
（２）特徴
第３実施形態のＰＯＰラベル発注支援システムも、ＰＯＰラベルの格納場所Ｐにおける残数に関する情報が格納場所ＰへのＰＯＰラベルの入庫数である点、カウンター５２５ａが格納場所ＰへのＰＯＰラベルの入庫数を主にカウントする点を除き、第１実施形態のＰＯＰラベル発注支援システム１００の特徴として記載した（３−１）〜（３−３）,（３−５）〜（３−６）と同様の特徴を有する。
【０２５４】
（３）変形例
第３実施形態のＰＯＰラベル発注支援システムについても、矛盾のない範囲で、第１実施形態のＰＯＰラベル発注支援システム１００の１又は複数の変形例を適用することができる。
【産業上の利用可能性】
【０２５５】
本発明は、複数のＰＯＰラベルの在庫を適切に管理し、ＰＯＰラベルの欠品を防止可能なＰＯＰラベル発注支援システムとして有用である。
【符号の説明】
【０２５６】
１０                        格納棚（格納部）
２１                        通信部（受信部，受付部）
２２                        入力部（受付部）
２３                        出力部（報知部）
２４，４２４，５２４        記憶部
２５ａ，４２５ａ，５２５ａ  カウンター
２５ｂ，４２５ｂ，５２５ｂ  更新部
２５ｃ，４２５ｃ，５２５ｃ  決定部
２５ｄ                      発注送信部（送信部）
１２５ｄ                    発注報知部（報知部）
１００                      ＰＯＰラベル発注支援システム
２００                      計量ラベル発行装置（商品処理装置）
Ｐ                          格納場所
Ｒ１，Ｒ２，Ｒ３            ＰＯＰラベル
【先行技術文献】
【特許文献】
【０２５７】
【特許文献１】特開２００２−１７２８２０号公報
【図１】
2018147349.tif 000003
【図２】
2018147349.tif 000004
【図３】
2018147349.tif 000005
【図４】
2018147349.tif 000006
【図５】
2018147349.tif 000007
【図６】
2018147349.tif 000008
【図７】
2018147349.tif 000009
【図８】
2018147349.tif 000010
【図９】
2018147349.tif 000011
【図１０】
2018147349.tif 000012
【図１１】
2018147349.tif 000013
【図１２】
2018147349.tif 000014
【図１３】
2018147349.tif 000015
【図１４】
2018147349.tif 000016
【図１５】
2018147349.tif 000017
【図１６】
2018147349.tif 000018
【図１７】
2018147349.tif 000019
【図１８】
2018147349.tif 000020
【図１９】
2018147349.tif 000021
【図２０】
2018147349.tif 000022